(57)【要約】【課題】緩衝材と緩衝材の外側の箱体を同時に製造することができ、該緩衝材を１つのブランクで製造することができるとともに、該箱体を１つのブランクで形成することができ、緩衝材の緩衝機能を向上させた組立体の製造方法を提供する。【解決手段】外側構成部１０の上に、仕切り部６０を仕切り部本体部６０Ｂから下方に突出した領域が仕切り部本体部６０Ｂの裏側に折り返した状態で重ねて接着剤塗布領域Ｍ１〜Ｍ４の領域を介して接着し、その後、接着剤塗布領域Ｎ１、Ｎ２に接着剤を塗布して、折れ線Ｃ２、Ｃ６の外側の部分を折返して接着剤塗布領域Ｎ１、Ｎ２を介して接着し、その後、接着剤塗布領域Ｎ３〜Ｎ５に接着剤を塗布して、折れ線Ｃ４、Ｃ９の外側の部分を折り返して、接着剤塗布領域Ｎ３〜Ｎ５を介して接着させる。【選択図】図１５
2011116049.tif 000002
【特許請求の範囲】
【請求項１】
４つの板状部により筒状に形成された外側構成部と、外側構成部の内側に設けられた仕切り部とを有する組立体の製造方法であって、
１枚のシート状のブランクにより形成された外側構成部で、第１折れ線とは反対側の端部に該端部に沿って切欠部が形成された外側構成部糊代部と、外側構成部糊代部の辺部である第１折れ線から連設された外側構成部正面部と、外側構成部正面部の外側構成部糊代部とは反対側で第１折れ線と平行な辺部である第２折れ線から連設された外側構成部右側面部と、外側構成部右側面部の外側構成部正面部とは反対側で第２折れ線と平行な辺部である第３折れ線から連設された外側構成部背面部と、外側構成部背面部の外側構成部右側面部とは反対側で第３折れ線と平行な辺部である第４折れ線から連設された外側構成部左側面部とを有し、外側構成部糊代部と外側構成部正面部と外側構成部右側面部と外側構成部背面部と外側構成部左側面部の並び方向が左右方向とした場合に、第１折れ線と第２折れ線間の左右方向の長さである第１長さと、第３折れ線と第４折れ線間の左右方向の長さである第３長さが略同一であり、第２折れ線と第３折れ線間の左右方向の長さである第２長さと、第４折れ線と第４折れ線と反対側の端部間の左右方向の長さが略同一であり、第１長さ及び第３長さが、仕切り部における基準長さの略４倍の長さを有するとともに、第２長さ及び第４長さが、仕切り部における基準長さの略３倍の長さを有する外側構成部における組立体とした場合に内側となる面に、１枚のシート状のブランクにより形成された仕切り部で、左右方向に基準長さの幅を有する仕切り部内側右側面部と、内側右側面部の左右方向の一方の辺部から第５折れ線を介して連設された第１中間部本体部で、第５折れ線から連設され左右方向に基準長さの幅を有する第１領域と、第１領域の内側右側面部とは反対側の辺部の平面視上側から連設され、仕切り片が連設するための２つの突状部で第１領域に近い側の第１突状部と第１領域から遠い側の第２突状部とからなる２つの突状部を平面視下側に有する第２領域とを有する仕切り部第１中間部本体部と、第５折れ線と平行な方向である上下方向に形成された第１１折れ線を介して第１中間部本体部の第１領域の内側右側面部とは反対側の辺部で第２領域が連設されていない辺部から連設された第１仕切り片と、上下方向に形成された第１２折れ線を介して第１中間部本体部の第１突状部から連設され、第１仕切り片に隣接して設けられた第２仕切り片と、上下方向に形成された第１３折れ線を介して第１中間部本体部の第２突状部から連設され、第２仕切り片と隣接して設けられた第３仕切り片と、第１中間部本体部における第２領域の第１仕切り片と第２仕切り片と第３仕切り片を介した反対側に設けられた第２中間部下側部で、第１中間部本体部の第２領域側に第１２折れ線と左右方向に一致し上下方向に形成された第１４折れ線を介して第１仕切り片から連設する第３突状部と、第１３折れ線と左右方向に一致し上下方向に形成された第１５折れ線を介して第２仕切り片から連設する第４突状部と、上下方向に形成された第１６折れ線を介して第３仕切り片から連設する第５突状部を有するとともに、第１領域側の端部が第１４折れ線よりも突出して形成された仕切り部第２中間部下側部と、第１中間部本体部の第１領域の下辺から左右方向の折れ線を介して連設されるとともに、第２中間部下側部と切込みを介して隣接した第１中間部下側部で、仕切り片が連設するための３つの突状部で、第６突状部と、第６突状部から左右方向に間隔を介して形成された第７突状部と、第７突状部から左右方向に間隔を介して形成された第８突状部とを第２中間部本体部の第１領域とは反対側の辺部に有する仕切り部第１中間部下側部と、上下方向に形成された第１７折れ線を介して第６突状部と連設された第４仕切り片と、上下方向に形成された第１８折れ線を介して第７突状部と連設され、第４仕切り片と隣接して設けられた第５仕切り片と、上下方向に形成された第１９折れ線を介して第８突状部と連設され、第５仕切り片と隣接して設けられた第６仕切り片と、第４仕切り片や第５仕切り片の第１中間部下側部とは反対側に設けられ、上下方向に形成された第２０折れ線を介して第４仕切り片と連設する第９突状部と、上下方向に形成された第２１折れ線を介して第５仕切り片と連設する第１０突状部と、上下方向に形成された第２２折れ線を介して第６仕切り片と連設する第１１突状部とを有する仕切り部正面部と、上下方向に形成された第６折れ線を介して内側右側面部の第１中間部本体部とは反対側の辺部から連設された仕切り部外側右側面部と、上下方向に形成された第７折れ線を介して外側右側面部の内側右側面部とは反対側の辺部から連設された第２中間部本体部で、第７折れ線から連設された第３領域と、第３領域の外側右側面部とは反対側の辺部の平面視上側から連設され、仕切り片が連設するための２つの突状部で第３領域に近い側の第１２突状部と第３領域から遠い側の第４突状部とからなる２つの突状部を平面視下側に有する第４領域とを有する仕切り部第２中間部本体部と、上下方向に形成された第２３折れ線を介して第２中間部本体部の第３領域の外側右側面部とは反対側の辺部で第３領域が連設されていない辺部から連設された第７仕切り片と、上下方向に形成された第２４折れ線を介して第２中間部本体部の第１２突状部から連設され、第７仕切り片に隣接して設けられた第８仕切り片と、上下方向に形成された第２５折れ線を介して第２中間部本体部の第１３突状部から連設され、第８仕切り片と隣接して設けられた第９仕切り片と、第２中間部本体部における第４領域の第７仕切り片と第８仕切り片と第９仕切り片を介した反対側に設けられるとともに、第２４折れ線と左右方向に一致し上下方向に形成された第２６折れ線を介して第７仕切り片から連設された背面部で、第２５折れ線と左右方向に一致し上下方向に形成された第２７折れ線を介して第８仕切り片から連設する第１４突状部と、上下方向に形成された第２８折れ線を介して第９仕切り片から連設する第１５突状部を有する仕切り部背面部と、第２７折れ線と左右方向に一致し上下方向に形成された第８折れ線を介して第２中間部本体部の第４領域の第３領域と反対側の辺部から連設されるとともに、上下方向に形成された第２９折れ線で折れ線に沿って切目線が形成された第２９折れ線を介して背面部の第７仕切り片とは反対側の辺部から連設された仕切り部内側左側面部と、上下方向に形成された第９折れ線を介して内側左側面部の第８折れ線や第２８折れ線と反対側の辺部から連設された仕切り部外側左側面部と、上下方向に形成された第１０折れ線を介して外側左側面部の内側左側面部と反対側の辺部から連設され、外側構成部糊代部の切欠部内に配置可能な形状及び大きさに形成された仕切り部糊代部と、を有し、第５折れ線と第６折れ線間の左右方向の長さを基準長さとした場合に、第５折れ線と第１１折れ線間の左右方向の長さと、第１１折れ線と第１４折れ線間の左右方向の長さと、第１４折れ線と第１５折れ線間の左右方向の長さと、第１５折れ線と第１６折れ線間の左右方向の長さと、第９折れ線と第１０折れ線間の左右方向の長さと、第１７折れ線と第１８折れ線間の左右方向の長さと、第１８折れ線と第１９折れ線間の左右方向の長さと、第７折れ線と第２３折れ線間の左右方向の長さと、第２３折れ線と第２６折れ線間の左右方向の長さと、第２６長さと第２８折れ線間の左右方向の長さと、第８折れ線と第９折れ線間の左右方向の長さとが、基準長さと略同一の長さを有し、第６折れ線と第７折れ線間の左右方向の長さと、第９折れ線と第１０折れ線の左右方向の長さが基準長さの略２倍の長さを有する仕切り部を、第１中間部下側部を第１中間部本体部の第１領域との境界となる左右方向の折れ線を介して裏側に折り返すことにより、第１中間部下側部と第４仕切り片と第５仕切り片と第６仕切り片と正面部を内側右側面部と第１中間部本体部と第１仕切り片と第２仕切り片と第３仕切り片と第２中間部下側部からなる領域の裏側に配置させて、第４折れ線と第９折れ線とが一致し、第２折れ線と第６折れ線とが一致するように配置して、外側構成部正面部と仕切り部正面部とを接着し、外側構成部右側面部と仕切り部外側右側面部とを接着し、外側構成部背面部と仕切り部背面部とを接着し、外側構成部左側面部と仕切り部外側左側面部とを接着する第１接着工程と、
仕切り部内側右側面部又は仕切り部外側右側面部において仕切り部内側右側面部が接着する領域と、仕切り部第２中間部下側部における第１４折れ線よりも第１領域側に突出した領域である突出領域又は第２中間部本体部の第３領域における該突出領域が接着する領域に接着剤を塗布する第１接着剤塗布工程と、
外側構成部において第２折れ線を中心に外側構成部正面部を回動して折り畳むとともに、仕切り部において第６折れ線を中心に仕切り部内側右側面部を回動して折り畳むことにより、仕切り部内側右側面部と仕切り部外側右側面部とを接着するとともに、仕切り部第２中間部下側部と第２中間部本体部の第３領域とを接着する第２接着工程と、
外側構成部糊代部又は外側構成部左側面部において外側構成部糊代部が接着する領域と、仕切り部糊代部又は第１中間部本体部の第２領域において仕切り部糊代部が接着する領域と、仕切り部内側左側面部又は仕切り部外側左側面部において仕切り部内側左側面部が接着する領域に接着剤を塗布する第２接着剤塗布工程と、
外側構成部において第４折れ線を中心に外側構成部背面部を回動して折り畳むとともに、仕切り部において第９折れ線を中心に仕切り部外側左側面部を回動して折り畳むことにより、外側構成部糊代部と外側構成部左側面部とを接着し、第１中間部本体部の第２領域と仕切り部糊代部とを接着し、仕切り部内側左側面部と仕切り部外側左側面部を接着する第３接着工程と、
を有することを特徴とする組立体の製造方法。
【請求項２】
仕切り部内側右側面部の上辺と仕切り部第１中間部本体部の上辺と仕切り部外側右側面部の上辺と第２中間部本体部の上辺と仕切り部内側左側面部の上辺と仕切り部外側左側面部の上辺が同一直線上に形成され、
仕切り部内側右側面部の下辺と第２中間部下側部の下辺と第１仕切り片の下辺と仕切り部外側右側面部の下辺と第２中間部本体部の下辺と第７仕切り片の下辺と背面部の下辺と仕切り部内側左側面部の下辺と仕切り部外側左側面部の下辺とが同一直線上に形成され、第１中間部本体部の上辺と下辺間の上下方向の長さと、仕切り部正面部の第４仕切り片と第５仕切り片と第６仕切り片とが連設された側とは反対側の左右方向の辺部と第１中間部下側部の第４仕切り片と第５仕切り片と第６仕切り片とが連設された側とは反対側の左右方向の辺部間の上下方向の長さが、略同一に形成されていることを特徴とする請求項１に記載の組立体の製造方法。
【請求項３】
外側構成部における外側構成部正面部と外側構成部右側面部と外側構成部背面部と外側構成部左側面部の少なくともいずれかの上端と下端から、筒状に形成された外側構成部の開口部を閉じる蓋部が形成されていることを特徴とする請求項１又は２に記載の組立体の製造方法。
【請求項４】
４つの板状部により筒状に形成された外側構成部と、外側構成部の内側に設けられた仕切り部とを有する組立体であって、
１枚のシート状のブランクにより形成された外側構成部で、第１折れ線とは反対側の端部に該端部に沿って切欠部が形成された外側構成部糊代部と、外側構成部糊代部の辺部である第１折れ線から連設された外側構成部正面部と、外側構成部正面部の外側構成部糊代部とは反対側で第１折れ線と平行な辺部である第２折れ線から連設された外側構成部右側面部と、外側構成部右側面部の外側構成部正面部とは反対側で第２折れ線と平行な辺部である第３折れ線から連設された外側構成部背面部と、外側構成部背面部の外側構成部右側面部とは反対側で第３折れ線と平行な辺部である第４折れ線から連設され、外側構成部の糊代部の外側の面に接着する外側構成部左側面部とを有し、外側構成部糊代部と外側構成部正面部と外側構成部右側面部と外側構成部背面部と外側構成部左側面部の並び方向が左右方向とした場合に、第１折れ線と第２折れ線間の左右方向の長さである第１長さと、第３折れ線と第４折れ線間の左右方向の長さである第３長さが略同一であり、第２折れ線と第３折れ線間の左右方向の長さである第２長さと、第４折れ線と第４折れ線と反対側の端部間の左右方向の長さが略同一であり、第１長さ及び第３長さが、仕切り部における基準長さの略４倍の長さを有するとともに、第２長さ及び第４長さが、仕切り部における基準長さの略３倍の長さを有する外側構成部と、
外側構成部の内側の面に設けられ、１枚のシート状のブランクにより形成された仕切り部で、
左右方向に基準長さの幅を有する仕切り部内側右側面部と、
内側右側面部の左右方向の一方の辺部から第５折れ線を介して連設された第１中間部本体部で、第５折れ線から連設され左右方向に基準長さの幅を有する第１領域と、第１領域の内側右側面部とは反対側の辺部の平面視上側から連設され、仕切り片が連設するための２つの突状部で第１領域に近い側の第１突状部と第１領域から遠い側の第２突状部とからなる２つの突状部を平面視下側に有する第２領域とを有する仕切り部第１中間部本体部と、
第５折れ線と平行な方向である上下方向に形成された第１１折れ線を介して第１中間部本体部の第１領域の内側右側面部とは反対側の辺部で第２領域が連設されていない辺部から連設された第１仕切り片と、
上下方向に形成された第１２折れ線を介して第１中間部本体部の第１突状部から連設され、第１仕切り片に隣接して設けられた第２仕切り片と、
上下方向に形成された第１３折れ線を介して第１中間部本体部の第２突状部から連設され、第２仕切り片と隣接して設けられた第３仕切り片と、
第１中間部本体部における第２領域の第１仕切り片と第２仕切り片と第３仕切り片を介した反対側に設けられた第２中間部下側部で、第１中間部本体部の第２領域側に第１２折れ線と左右方向に一致し上下方向に形成された第１４折れ線を介して第１仕切り片から連設する第３突状部と、第１３折れ線と左右方向に一致し上下方向に形成された第１５折れ線を介して第２仕切り片から連設する第４突状部と、上下方向に形成された第１６折れ線を介して第３仕切り片から連設する第５突状部を有するとともに、第１領域側の端部が第１４折れ線よりも突出して形成された仕切り部第２中間部下側部と、
第１中間部本体部の第１領域の下辺から左右方向の折れ線を介して連設されるとともに、第２中間部下側部と切込みを介して隣接した第１中間部下側部で、仕切り片が連設するための３つの突状部で、第６突状部と、第６突状部から左右方向に間隔を介して形成された第７突状部と、第７突状部から左右方向に間隔を介して形成された第８突状部とを第２中間部本体部の第１領域とは反対側の辺部に有する仕切り部第１中間部下側部と、
上下方向に形成された第１７折れ線を介して第６突状部と連設された第４仕切り片と、
上下方向に形成された第１８折れ線を介して第７突状部と連設され、第４仕切り片と隣接して設けられた第５仕切り片と、
上下方向に形成された第１９折れ線を介して第８突状部と連設され、第５仕切り片と隣接して設けられた第６仕切り片と、
第４仕切り片や第５仕切り片の第１中間部下側部とは反対側に設けられ、上下方向に形成された第２０折れ線を介して第４仕切り片と連設する第９突状部と、上下方向に形成された第２１折れ線を介して第５仕切り片と連設する第１０突状部と、上下方向に形成された第２２折れ線を介して第６仕切り片と連設する第１１突状部とを有し、外側構成部正面部と接着した仕切り部正面部と、
上下方向に形成された第６折れ線を介して内側右側面部の第１中間部本体部とは反対側の辺部から連設された外側右側面部で、仕切り部内側右側面部の外側の面に接着するとともに外側構成部右側面部と接着した仕切り部外側右側面部と、
上下方向に形成された第７折れ線を介して外側右側面部の内側右側面部とは反対側の辺部から連設された第２中間部本体部で、第７折れ線から連設された第３領域と、第３領域の外側右側面部とは反対側の辺部の平面視上側から連設され、仕切り片が連設するための２つの突状部で第３領域に近い側の第１２突状部と第３領域から遠い側の第４突状部とからなる２つの突状部を平面視下側に有する第４領域とを有し、第３領域が仕切り部第２中間部下側部と接着する仕切り部第２中間部本体部と、
上下方向に形成された第２３折れ線を介して第２中間部本体部の第３領域の外側右側面部とは反対側の辺部で第３領域が連設されていない辺部から連設された第７仕切り片と、
上下方向に形成された第２４折れ線を介して第２中間部本体部の第１２突状部から連設され、第７仕切り片に隣接して設けられた第８仕切り片と、
上下方向に形成された第２５折れ線を介して第２中間部本体部の第１３突状部から連設され、第８仕切り片と隣接して設けられた第９仕切り片と、
第２中間部本体部における第４領域の第７仕切り片と第８仕切り片と第９仕切り片を介した反対側に設けられるとともに、第２４折れ線と左右方向に一致し上下方向に形成された第２６折れ線を介して第７仕切り片から連設された背面部で、第２５折れ線と左右方向に一致し上下方向に形成された第２７折れ線を介して第８仕切り片から連設する第１４突状部と、上下方向に形成された第２８折れ線を介して第９仕切り片から連設する第１５突状部を有し、外側構成部背面部と接着した仕切り部背面部と、
第２７折れ線と左右方向に一致し上下方向に形成された第８折れ線を介して第２中間部本体部の第４領域の第３領域と反対側の辺部から連設されるとともに、上下方向に形成された第２９折れ線で折れ線に沿って切目線が形成された第２９折れ線を介して背面部の第７仕切り片とは反対側の辺部から連設された仕切り部内側左側面部と、
上下方向に形成された第９折れ線を介して内側左側面部の第８折れ線や第２８折れ線と反対側の辺部から連設され、仕切り部内側左側面部と接着するとともに外側構成部左側面部と接着する仕切り部外側左側面部と、
上下方向に形成された第１０折れ線を介して外側左側面部の内側左側面部と反対側の辺部から連設され、外側構成部糊代部の切欠部内に配置可能な形状及び大きさに形成され、第１中間部本体部の第２領域と接着した仕切り部糊代部と、
を有し、
第５折れ線と第６折れ線間の左右方向の長さを基準長さとした場合に、第５折れ線と第１１折れ線間の左右方向の長さと、第１１折れ線と第１４折れ線間の左右方向の長さと、第１４折れ線と第１５折れ線間の左右方向の長さと、第１５折れ線と第１６折れ線間の左右方向の長さと、第９折れ線と第１０折れ線間の左右方向の長さと、第１７折れ線と第１８折れ線間の左右方向の長さと、第１８折れ線と第１９折れ線間の左右方向の長さと、第７折れ線と第２３折れ線間の左右方向の長さと、第２３折れ線と第２６折れ線間の左右方向の長さと、第２６長さと第２８折れ線間の左右方向の長さと、第８折れ線と第９折れ線間の左右方向の長さとが、基準長さと略同一の長さを有し、第６折れ線と第７折れ線間の左右方向の長さと、第９折れ線と第１０折れ線の左右方向の長さが基準長さの略２倍の長さを有する仕切り部と、
を有し、仕切り部の第５折れ線が外側構成部の第２折れ線に沿った状態で、かつ、仕切り部の第９折れ線が外側構成部の第４折れ線に沿った状態で、仕切り部が外側構成部の内側の面に設けられ、
外側構成部正面部と外側構成部背面部とを互いに平行にするとともに、外側構成部右側面部と外側構成部左側面部とを互いに平行にして外側構成部をスリーブ状にすることにより、仕切り部正面部と、仕切り部第１中間部下側部と仕切り部第１中間部本体部とから構成される仕切り部第１中間部と、仕切り部第２中間部下側部と仕切り部第２中間部本体部とから構成される仕切り部第２中間部と、仕切り部背面部とが互いに略平行となり、仕切り部内側右側面部と仕切り部外側右側面部とから構成される仕切り部右側面部と、仕切り部内側左側面部と仕切り部外側左側面部とから構成される仕切り部左側面部とが互いに略平行となり、第１仕切り片と第２仕切り片と第３仕切り片とが、仕切り部第１中間部と仕切り部第２中間部下側部に対して直角になり、第４仕切り片と第５仕切り片と第６仕切り片とが、仕切り部正面部と仕切り部第１中間部に対して直角となり、第７仕切り片と第８仕切り片と第９仕切り片とが、仕切り部第２中間部と仕切り部背面部に対して直角となることを特徴とする組立体。
【請求項５】
外側構成部における外側構成部正面部と外側構成部右側面部と外側構成部背面部と外側構成部左側面部の少なくともいずれかの上端と下端から、筒状に形成された外側構成部の開口部を閉じる蓋部が形成されていることを特徴とする請求項４に記載の組立体。
【発明の詳細な説明】
【技術分野】
【０００１】
本発明は、紙材（特に、段ボール材）により組み立てられ、内部に仕切りを有する組立体とその製造方法に関するものである。
【背景技術】
【０００２】
従来、箱体の内部に収納する仕切りを製造する方法として、特許文献１や特許文献２に示すものが知られている。特許文献１は、折り畳み式厚紙ボックスの仕切りの製造方法に関するものであり、また、特許文献２は、仕切体の製造方法に関するものであり、仕切体の外周壁部の一部と内部壁部の一部とからなる同形のセグメントを２個用意し、該セグメントの外周壁部と内部壁部とを渦巻状に同一方向に折曲線に沿って折曲げ形成したものを点対称的に組合せ箱型となし、次で内部壁部に設けた切欠き部内に一体の中央分離体を挿入して仕切体を形成するものである。
【先行技術文献】
【特許文献】
【０００３】
【特許文献１】特開平８−４０４３１号公報
【特許文献２】特開平７−２３２７０８号公報
【発明の概要】
【発明が解決しようとする課題】
【０００４】
しかし、上記特許文献１や特許文献２においては、仕切り自体を製造するものであり、製造された仕切りは、別体の箱体内に収納して使用するものであり、仕切りと仕切りの外側の箱体とを同時に製造することはできず、仕切りの製造工程と、外側の箱体の製造工程を別々に設ける必要がある。
【０００５】
また、上記特許文献１や特許文献２においては、仕切り自体が複数のブランクにより形成されているので、該複数のブランクをそれぞれ製造する手間を要する。
【０００６】
また、製造された仕切りの外側の部材を箱体とみなした場合でも、箱体は複数のブランクで製造されることになり、１つのブランクでは製造されず、箱体としての見栄えや強度は十分ではない。つまり、仕切りの外側は略筒状に形成されるのであるが、その筒状部分は１つのブランクで形成することはできない。
【０００７】
そこで、仕切りと仕切りの外側の箱体（特に、筒状部分）を同時に製造することができ、該仕切りを１つのブランクで製造することができるとともに、該箱体（特に、筒状部分）を１つのブランクで形成することができる仕切りを有する組立体の製造方法を提供することを目的とするものである。
【課題を解決するための手段】
【０００８】
本発明は上記問題点を解決するために創作されたものであって、第１には、４つの板状部により筒状に形成された外側構成部と、外側構成部の内側に設けられた仕切り部とを有する組立体の製造方法であって、１枚のシート状のブランクにより形成された外側構成部で、第１折れ線とは反対側の端部に該端部に沿って切欠部が形成された外側構成部糊代部と、外側構成部糊代部の辺部である第１折れ線から連設された外側構成部正面部と、外側構成部正面部の外側構成部糊代部とは反対側で第１折れ線と平行な辺部である第２折れ線から連設された外側構成部右側面部と、外側構成部右側面部の外側構成部正面部とは反対側で第２折れ線と平行な辺部である第３折れ線から連設された外側構成部背面部と、外側構成部背面部の外側構成部右側面部とは反対側で第３折れ線と平行な辺部である第４折れ線から連設された外側構成部左側面部とを有し、外側構成部糊代部と外側構成部正面部と外側構成部右側面部と外側構成部背面部と外側構成部左側面部の並び方向が左右方向とした場合に、第１折れ線と第２折れ線間の左右方向の長さである第１長さと、第３折れ線と第４折れ線間の左右方向の長さである第３長さが略同一であり、第２折れ線と第３折れ線間の左右方向の長さである第２長さと、第４折れ線と第４折れ線と反対側の端部間の左右方向の長さが略同一であり、第１長さ及び第３長さが、仕切り部における基準長さの略４倍の長さを有するとともに、第２長さ及び第４長さが、仕切り部における基準長さの略３倍の長さを有する外側構成部における組立体とした場合に内側となる面に、１枚のシート状のブランクにより形成された仕切り部で、左右方向に基準長さの幅を有する仕切り部内側右側面部と、内側右側面部の左右方向の一方の辺部から第５折れ線を介して連設された第１中間部本体部で、第５折れ線から連設され左右方向に基準長さの幅を有する第１領域と、第１領域の内側右側面部とは反対側の辺部の平面視上側から連設され、仕切り片が連設するための２つの突状部で第１領域に近い側の第１突状部と第１領域から遠い側の第２突状部とからなる２つの突状部を平面視下側に有する第２領域とを有する仕切り部第１中間部本体部と、第５折れ線と平行な方向である上下方向に形成された第１１折れ線を介して第１中間部本体部の第１領域の内側右側面部とは反対側の辺部で第２領域が連設されていない辺部から連設された第１仕切り片と、上下方向に形成された第１２折れ線を介して第１中間部本体部の第１突状部から連設され、第１仕切り片に隣接して設けられた第２仕切り片と、上下方向に形成された第１３折れ線を介して第１中間部本体部の第２突状部から連設され、第２仕切り片と隣接して設けられた第３仕切り片と、第１中間部本体部における第２領域の第１仕切り片と第２仕切り片と第３仕切り片を介した反対側に設けられた第２中間部下側部で、第１中間部本体部の第２領域側に第１２折れ線と左右方向に一致し上下方向に形成された第１４折れ線を介して第１仕切り片から連設する第３突状部と、第１３折れ線と左右方向に一致し上下方向に形成された第１５折れ線を介して第２仕切り片から連設する第４突状部と、上下方向に形成された第１６折れ線を介して第３仕切り片から連設する第５突状部を有するとともに、第１領域側の端部が第１４折れ線よりも突出して形成された仕切り部第２中間部下側部と、第１中間部本体部の第１領域の下辺から左右方向の折れ線を介して連設されるとともに、第２中間部下側部と切込みを介して隣接した第１中間部下側部で、仕切り片が連設するための３つの突状部で、第６突状部と、第６突状部から左右方向に間隔を介して形成された第７突状部と、第７突状部から左右方向に間隔を介して形成された第８突状部とを第２中間部本体部の第１領域とは反対側の辺部に有する仕切り部第１中間部下側部と、上下方向に形成された第１７折れ線を介して第６突状部と連設された第４仕切り片と、上下方向に形成された第１８折れ線を介して第７突状部と連設され、第４仕切り片と隣接して設けられた第５仕切り片と、上下方向に形成された第１９折れ線を介して第８突状部と連設され、第５仕切り片と隣接して設けられた第６仕切り片と、第４仕切り片や第５仕切り片の第１中間部下側部とは反対側に設けられ、上下方向に形成された第２０折れ線を介して第４仕切り片と連設する第９突状部と、上下方向に形成された第２１折れ線を介して第５仕切り片と連設する第１０突状部と、上下方向に形成された第２２折れ線を介して第６仕切り片と連設する第１１突状部とを有する仕切り部正面部と、上下方向に形成された第６折れ線を介して内側右側面部の第１中間部本体部とは反対側の辺部から連設された仕切り部外側右側面部と、上下方向に形成された第７折れ線を介して外側右側面部の内側右側面部とは反対側の辺部から連設された第２中間部本体部で、第７折れ線から連設された第３領域と、第３領域の外側右側面部とは反対側の辺部の平面視上側から連設され、仕切り片が連設するための２つの突状部で第３領域に近い側の第１２突状部と第３領域から遠い側の第４突状部とからなる２つの突状部を平面視下側に有する第４領域とを有する仕切り部第２中間部本体部と、上下方向に形成された第２３折れ線を介して第２中間部本体部の第３領域の外側右側面部とは反対側の辺部で第３領域が連設されていない辺部から連設された第７仕切り片と、上下方向に形成された第２４折れ線を介して第２中間部本体部の第１２突状部から連設され、第７仕切り片に隣接して設けられた第８仕切り片と、上下方向に形成された第２５折れ線を介して第２中間部本体部の第１３突状部から連設され、第８仕切り片と隣接して設けられた第９仕切り片と、第２中間部本体部における第４領域の第７仕切り片と第８仕切り片と第９仕切り片を介した反対側に設けられるとともに、第２４折れ線と左右方向に一致し上下方向に形成された第２６折れ線を介して第７仕切り片から連設された背面部で、第２５折れ線と左右方向に一致し上下方向に形成された第２７折れ線を介して第８仕切り片から連設する第１４突状部と、上下方向に形成された第２８折れ線を介して第９仕切り片から連設する第１５突状部を有する仕切り部背面部と、第２７折れ線と左右方向に一致し上下方向に形成された第８折れ線を介して第２中間部本体部の第４領域の第３領域と反対側の辺部から連設されるとともに、上下方向に形成された第２９折れ線で折れ線に沿って切目線が形成された第２９折れ線を介して背面部の第７仕切り片とは反対側の辺部から連設された仕切り部内側左側面部と、上下方向に形成された第９折れ線を介して内側左側面部の第８折れ線や第２８折れ線と反対側の辺部から連設された仕切り部外側左側面部と、上下方向に形成された第１０折れ線を介して外側左側面部の内側左側面部と反対側の辺部から連設され、外側構成部糊代部の切欠部内に配置可能な形状及び大きさに形成された仕切り部糊代部と、を有し、第５折れ線と第６折れ線間の左右方向の長さを基準長さとした場合に、第５折れ線と第１１折れ線間の左右方向の長さと、第１１折れ線と第１４折れ線間の左右方向の長さと、第１４折れ線と第１５折れ線間の左右方向の長さと、第１５折れ線と第１６折れ線間の左右方向の長さと、第９折れ線と第１０折れ線間の左右方向の長さと、第１７折れ線と第１８折れ線間の左右方向の長さと、第１８折れ線と第１９折れ線間の左右方向の長さと、第７折れ線と第２３折れ線間の左右方向の長さと、第２３折れ線と第２６折れ線間の左右方向の長さと、第２６長さと第２８折れ線間の左右方向の長さと、第８折れ線と第９折れ線間の左右方向の長さとが、基準長さと略同一の長さを有し、第６折れ線と第７折れ線間の左右方向の長さと、第９折れ線と第１０折れ線の左右方向の長さが基準長さの略２倍の長さを有する仕切り部を、第１中間部下側部を第１中間部本体部の第１領域との境界となる左右方向の折れ線を介して裏側に折り返すことにより、第１中間部下側部と第４仕切り片と第５仕切り片と第６仕切り片と正面部を内側右側面部と第１中間部本体部と第１仕切り片と第２仕切り片と第３仕切り片と第２中間部下側部からなる領域の裏側に配置させて、第４折れ線と第９折れ線とが一致し、第２折れ線と第６折れ線とが一致するように配置して、外側構成部正面部と仕切り部正面部とを接着し、外側構成部右側面部と仕切り部外側右側面部とを接着し、外側構成部背面部と仕切り部背面部とを接着し、外側構成部左側面部と仕切り部外側左側面部とを接着する第１接着工程と、仕切り部内側右側面部又は仕切り部外側右側面部において仕切り部内側右側面部が接着する領域と、仕切り部第２中間部下側部における第１４折れ線よりも第１領域側に突出した領域である突出領域又は第２中間部本体部の第３領域における該突出領域が接着する領域に接着剤を塗布する第１接着剤塗布工程と、外側構成部において第２折れ線を中心に外側構成部正面部を回動して折り畳むとともに、仕切り部において第６折れ線を中心に仕切り部内側右側面部を回動して折り畳むことにより、仕切り部内側右側面部と仕切り部外側右側面部とを接着するとともに、仕切り部第２中間部下側部と第２中間部本体部の第３領域とを接着する第２接着工程と、外側構成部糊代部又は外側構成部左側面部において外側構成部糊代部が接着する領域と、仕切り部糊代部又は第１中間部本体部の第２領域において仕切り部糊代部が接着する領域と、仕切り部内側左側面部又は仕切り部外側左側面部において仕切り部内側左側面部が接着する領域に接着剤を塗布する第２接着剤塗布工程と、外側構成部において第４折れ線を中心に外側構成部背面部を回動して折り畳むとともに、仕切り部において第９折れ線を中心に仕切り部外側左側面部を回動して折り畳むことにより、外側構成部糊代部と外側構成部左側面部とを接着し、第１中間部本体部の第２領域と仕切り部糊代部とを接着し、仕切り部内側左側面部と仕切り部外側左側面部を接着する第３接着工程と、を有することを特徴とする。
【０００９】
この第１の構成の組立体の製造方法により製造された組立体においては、外側構成部正面部と外側構成部背面部とを互いに平行にするとともに、外側構成部右側面部と外側構成部左側面部とを互いに平行にして外側構成部をスリーブ状にすることにより、仕切り部正面部と、仕切り部第１中間部下側部と仕切り部第１中間部本体部とから構成される仕切り部第１中間部と、仕切り部第２中間部下側部と仕切り部第２中間部本体部とから構成される仕切り部第２中間部と、仕切り部背面部とが互いに略平行となり、仕切り部内側右側面部と仕切り部外側右側面部とから構成される仕切り部右側面部と、仕切り部内側左側面部と仕切り部外側左側面部とから構成される仕切り部左側面部とが互いに略平行となり、第１仕切り片と第２仕切り片と第３仕切り片とが、仕切り部第１中間部と仕切り部第２中間部下側部に対して直角になり、第４仕切り片と第５仕切り片と第６仕切り片とが、仕切り部正面部と仕切り部第１中間部に対して直角となり、第７仕切り片と第８仕切り片と第９仕切り片とが、仕切り部第２中間部と仕切り部背面部に対して直角となり、外側構成部の内部には、仕切り部により仕切られた１２個の収納空間が形成される。
【００１０】
本発明の組立体の製造方法によれば、外側構成部と仕切り部とを同時に製造することができ、外側構成部の製造工程と仕切り部の製造工程とを別々に設ける必要がない。特に、外側構成部と仕切り部とをともに展開状態にして貼り合わせた後に、所定の接着剤塗布領域に接着剤を塗布して所定の片部を折り返すことにより製造することができ、極めて容易に製造することができる。また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。また、１２個の収納空間を有する複雑な構成の収納箱を極めて効率よく製造することができる。
【００１１】
また、第２には、上記第１の構成において、仕切り部内側右側面部の上辺と仕切り部第１中間部本体部の上辺と仕切り部外側右側面部の上辺と第２中間部本体部の上辺と仕切り部内側左側面部の上辺と仕切り部外側左側面部の上辺が同一直線上に形成され、
仕切り部内側右側面部の下辺と第２中間部下側部の下辺と第１仕切り片の下辺と仕切り部外側右側面部の下辺と第２中間部本体部の下辺と第７仕切り片の下辺と背面部の下辺と仕切り部内側左側面部の下辺と仕切り部外側左側面部の下辺とが同一直線上に形成され、第１中間部本体部の上辺と下辺間の上下方向の長さと、仕切り部正面部の第４仕切り片と第５仕切り片と第６仕切り片とが連設された側とは反対側の左右方向の辺部と第１中間部下側部の第４仕切り片と第５仕切り片と第６仕切り片とが連設された側とは反対側の左右方向の辺部間の上下方向の長さが、略同一に形成されていることを特徴とする。
【００１２】
また、第３には、上記第１又は第２の構成において、外側構成部における外側構成部正面部と外側構成部右側面部と外側構成部背面部と外側構成部左側面部の少なくともいずれかの上端と下端から、筒状に形成された外側構成部の開口部を閉じる蓋部が形成されていることを特徴とする。
【００１３】
また、第４には、４つの板状部により筒状に形成された外側構成部と、外側構成部の内側に設けられた仕切り部とを有する組立体であって、１枚のシート状のブランクにより形成された外側構成部で、第１折れ線とは反対側の端部に該端部に沿って切欠部が形成された外側構成部糊代部と、外側構成部糊代部の辺部である第１折れ線から連設された外側構成部正面部と、外側構成部正面部の外側構成部糊代部とは反対側で第１折れ線と平行な辺部である第２折れ線から連設された外側構成部右側面部と、外側構成部右側面部の外側構成部正面部とは反対側で第２折れ線と平行な辺部である第３折れ線から連設された外側構成部背面部と、外側構成部背面部の外側構成部右側面部とは反対側で第３折れ線と平行な辺部である第４折れ線から連設され、外側構成部の糊代部の外側の面に接着する外側構成部左側面部とを有し、外側構成部糊代部と外側構成部正面部と外側構成部右側面部と外側構成部背面部と外側構成部左側面部の並び方向が左右方向とした場合に、第１折れ線と第２折れ線間の左右方向の長さである第１長さと、第３折れ線と第４折れ線間の左右方向の長さである第３長さが略同一であり、第２折れ線と第３折れ線間の左右方向の長さである第２長さと、第４折れ線と第４折れ線と反対側の端部間の左右方向の長さが略同一であり、第１長さ及び第３長さが、仕切り部における基準長さの略４倍の長さを有するとともに、第２長さ及び第４長さが、仕切り部における基準長さの略３倍の長さを有する外側構成部と、外側構成部の内側の面に設けられ、１枚のシート状のブランクにより形成された仕切り部で、左右方向に基準長さの幅を有する仕切り部内側右側面部と、内側右側面部の左右方向の一方の辺部から第５折れ線を介して連設された第１中間部本体部で、第５折れ線から連設され左右方向に基準長さの幅を有する第１領域と、第１領域の内側右側面部とは反対側の辺部の平面視上側から連設され、仕切り片が連設するための２つの突状部で第１領域に近い側の第１突状部と第１領域から遠い側の第２突状部とからなる２つの突状部を平面視下側に有する第２領域とを有する仕切り部第１中間部本体部と、第５折れ線と平行な方向である上下方向に形成された第１１折れ線を介して第１中間部本体部の第１領域の内側右側面部とは反対側の辺部で第２領域が連設されていない辺部から連設された第１仕切り片と、上下方向に形成された第１２折れ線を介して第１中間部本体部の第１突状部から連設され、第１仕切り片に隣接して設けられた第２仕切り片と、上下方向に形成された第１３折れ線を介して第１中間部本体部の第２突状部から連設され、第２仕切り片と隣接して設けられた第３仕切り片と、第１中間部本体部における第２領域の第１仕切り片と第２仕切り片と第３仕切り片を介した反対側に設けられた第２中間部下側部で、第１中間部本体部の第２領域側に第１２折れ線と左右方向に一致し上下方向に形成された第１４折れ線を介して第１仕切り片から連設する第３突状部と、第１３折れ線と左右方向に一致し上下方向に形成された第１５折れ線を介して第２仕切り片から連設する第４突状部と、上下方向に形成された第１６折れ線を介して第３仕切り片から連設する第５突状部を有するとともに、第１領域側の端部が第１４折れ線よりも突出して形成された仕切り部第２中間部下側部と、第１中間部本体部の第１領域の下辺から左右方向の折れ線を介して連設されるとともに、第２中間部下側部と切込みを介して隣接した第１中間部下側部で、仕切り片が連設するための３つの突状部で、第６突状部と、第６突状部から左右方向に間隔を介して形成された第７突状部と、第７突状部から左右方向に間隔を介して形成された第８突状部とを第２中間部本体部の第１領域とは反対側の辺部に有する仕切り部第１中間部下側部と、上下方向に形成された第１７折れ線を介して第６突状部と連設された第４仕切り片と、上下方向に形成された第１８折れ線を介して第７突状部と連設され、第４仕切り片と隣接して設けられた第５仕切り片と、上下方向に形成された第１９折れ線を介して第８突状部と連設され、第５仕切り片と隣接して設けられた第６仕切り片と、第４仕切り片や第５仕切り片の第１中間部下側部とは反対側に設けられ、上下方向に形成された第２０折れ線を介して第４仕切り片と連設する第９突状部と、上下方向に形成された第２１折れ線を介して第５仕切り片と連設する第１０突状部と、上下方向に形成された第２２折れ線を介して第６仕切り片と連設する第１１突状部とを有し、外側構成部正面部と接着した仕切り部正面部と、上下方向に形成された第６折れ線を介して内側右側面部の第１中間部本体部とは反対側の辺部から連設された外側右側面部で、仕切り部内側右側面部の外側の面に接着するとともに外側構成部右側面部と接着した仕切り部外側右側面部と、上下方向に形成された第７折れ線を介して外側右側面部の内側右側面部とは反対側の辺部から連設された第２中間部本体部で、第７折れ線から連設された第３領域と、第３領域の外側右側面部とは反対側の辺部の平面視上側から連設され、仕切り片が連設するための２つの突状部で第３領域に近い側の第１２突状部と第３領域から遠い側の第４突状部とからなる２つの突状部を平面視下側に有する第４領域とを有し、第３領域が仕切り部第２中間部下側部と接着する仕切り部第２中間部本体部と、上下方向に形成された第２３折れ線を介して第２中間部本体部の第３領域の外側右側面部とは反対側の辺部で第３領域が連設されていない辺部から連設された第７仕切り片と、上下方向に形成された第２４折れ線を介して第２中間部本体部の第１２突状部から連設され、第７仕切り片に隣接して設けられた第８仕切り片と、上下方向に形成された第２５折れ線を介して第２中間部本体部の第１３突状部から連設され、第８仕切り片と隣接して設けられた第９仕切り片と、第２中間部本体部における第４領域の第７仕切り片と第８仕切り片と第９仕切り片を介した反対側に設けられるとともに、第２４折れ線と左右方向に一致し上下方向に形成された第２６折れ線を介して第７仕切り片から連設された背面部で、第２５折れ線と左右方向に一致し上下方向に形成された第２７折れ線を介して第８仕切り片から連設する第１４突状部と、上下方向に形成された第２８折れ線を介して第９仕切り片から連設する第１５突状部を有し、外側構成部背面部と接着した仕切り部背面部と、第２７折れ線と左右方向に一致し上下方向に形成された第８折れ線を介して第２中間部本体部の第４領域の第３領域と反対側の辺部から連設されるとともに、上下方向に形成された第２９折れ線で折れ線に沿って切目線が形成された第２９折れ線を介して背面部の第７仕切り片とは反対側の辺部から連設された仕切り部内側左側面部と、上下方向に形成された第９折れ線を介して内側左側面部の第８折れ線や第２８折れ線と反対側の辺部から連設され、仕切り部内側左側面部と接着するとともに外側構成部左側面部と接着する仕切り部外側左側面部と、上下方向に形成された第１０折れ線を介して外側左側面部の内側左側面部と反対側の辺部から連設され、外側構成部糊代部の切欠部内に配置可能な形状及び大きさに形成され、第１中間部本体部の第２領域と接着した仕切り部糊代部と、を有し、第５折れ線と第６折れ線間の左右方向の長さを基準長さとした場合に、第５折れ線と第１１折れ線間の左右方向の長さと、第１１折れ線と第１４折れ線間の左右方向の長さと、第１４折れ線と第１５折れ線間の左右方向の長さと、第１５折れ線と第１６折れ線間の左右方向の長さと、第９折れ線と第１０折れ線間の左右方向の長さと、第１７折れ線と第１８折れ線間の左右方向の長さと、第１８折れ線と第１９折れ線間の左右方向の長さと、第７折れ線と第２３折れ線間の左右方向の長さと、第２３折れ線と第２６折れ線間の左右方向の長さと、第２６長さと第２８折れ線間の左右方向の長さと、第８折れ線と第９折れ線間の左右方向の長さとが、基準長さと略同一の長さを有し、第６折れ線と第７折れ線間の左右方向の長さと、第９折れ線と第１０折れ線の左右方向の長さが基準長さの略２倍の長さを有する仕切り部と、を有し、仕切り部の第５折れ線が外側構成部の第２折れ線に沿った状態で、かつ、仕切り部の第９折れ線が外側構成部の第４折れ線に沿った状態で、仕切り部が外側構成部の内側の面に設けられ、外側構成部正面部と外側構成部背面部とを互いに平行にするとともに、外側構成部右側面部と外側構成部左側面部とを互いに平行にして外側構成部をスリーブ状にすることにより、仕切り部正面部と、仕切り部第１中間部下側部と仕切り部第１中間部本体部とから構成される仕切り部第１中間部と、仕切り部第２中間部下側部と仕切り部第２中間部本体部とから構成される仕切り部第２中間部と、仕切り部背面部とが互いに略平行となり、仕切り部内側右側面部と仕切り部外側右側面部とから構成される仕切り部右側面部と、仕切り部内側左側面部と仕切り部外側左側面部とから構成される仕切り部左側面部とが互いに略平行となり、第１仕切り片と第２仕切り片と第３仕切り片とが、仕切り部第１中間部と仕切り部第２中間部下側部に対して直角になり、第４仕切り片と第５仕切り片と第６仕切り片とが、仕切り部正面部と仕切り部第１中間部に対して直角となり、第７仕切り片と第８仕切り片と第９仕切り片とが、仕切り部第２中間部と仕切り部背面部に対して直角となることを特徴とする。
【００１４】
この第４の構成の組立体においては、外側構成部正面部と外側構成部背面部とを互いに平行にするとともに、外側構成部右側面部と外側構成部左側面部とを互いに平行にして外側構成部をスリーブ状にすることにより、仕切り部正面部と、仕切り部第１中間部下側部と仕切り部第１中間部本体部とから構成される仕切り部第１中間部と、仕切り部第２中間部下側部と仕切り部第２中間部本体部とから構成される仕切り部第２中間部と、仕切り部背面部とが互いに略平行となり、仕切り部内側右側面部と仕切り部外側右側面部とから構成される仕切り部右側面部と、仕切り部内側左側面部と仕切り部外側左側面部とから構成される仕切り部左側面部とが互いに略平行となり、第１仕切り片と第２仕切り片と第３仕切り片とが、仕切り部第１中間部と仕切り部第２中間部下側部に対して直角になり、第４仕切り片と第５仕切り片と第６仕切り片とが、仕切り部正面部と仕切り部第１中間部に対して直角となり、第７仕切り片と第８仕切り片と第９仕切り片とが、仕切り部第２中間部と仕切り部背面部に対して直角となり、外側構成部の内部には、仕切り部により仕切られた１２個の収納空間が形成される。
【００１５】
本発明の組立体によれば、組立体の製造に当たって、外側構成部と仕切り部とを同時に製造することができ、外側構成部の製造工程と仕切り部の製造工程とを別々に設ける必要がない。特に、外側構成部と仕切り部とをともに展開状態にして貼り合わせた後に、所定の接着剤塗布領域に接着剤を塗布して所定の片部を折り返すことにより製造することができ、極めて容易に製造することができる。また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。また、１２個の収納空間を有する複雑な構成の収納箱を極めて効率よく製造することができる。
【００１６】
また、第５には、上記第４の構成において、外側構成部における外側構成部正面部と外側構成部右側面部と外側構成部背面部と外側構成部左側面部の少なくともいずれかの上端と下端から、筒状に形成された外側構成部の開口部を閉じる蓋部が形成されていることを特徴とする。
【発明の効果】
【００１７】
本発明に基づく組立体の製造方法及び組立体によれば、外側構成部と仕切り部とを同時に製造することができ、外側構成部の製造工程と仕切り部の製造工程とを別々に設ける必要がない。特に、外側構成部と仕切り部とをともに展開状態にして貼り合わせた後に、所定の接着剤塗布領域に接着剤を塗布して所定の片部を折り返すことにより製造することができ、極めて容易に製造することができる。また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。また、１２個の収納空間を有する複雑な構成の収納箱を極めて効率よく製造することができる。
【図面の簡単な説明】
【００１８】
【図１】収納箱の前方斜視図である。
【図２】収納箱の後方斜視図である。
【図３】収納箱を畳んだ状態を示す斜視図である。
【図４】収納箱を畳んだ状態からスリーブ状部を筒状にした状態を示す斜視図である。
【図５】図４の分解斜視図である。
【図６】仕切り部の前方斜視図である。
【図７】仕切り部の後方斜視図である。
【図８】外側構成部の展開図である。
【図９】仕切り部の展開図である。
【図１０】図９の要部拡大図である。
【図１１】図９の要部拡大図である。
【図１２】図９の要部拡大図である。
【図１３】収納箱の製造方法を示す説明図である。
【図１４】収納箱の製造方法を示す説明図である。
【図１５】収納箱の製造方法を示す説明図である。
【図１６】収納箱の製造方法を示す説明図である。
【図１７】収納箱の製造方法を示す説明図である。
【発明を実施するための形態】
【００１９】
本発明においては、仕切りと仕切りの外側の箱体（特に、筒状部分）を同時に製造することができ、該仕切りを１つのブランクで製造することができるとともに、該箱体（特に、筒状部分）を１つのブランクで形成することができる仕切りを有する組立体の製造方法を提供するという目的を以下のようにして実現した。
【００２０】
本発明に基づく仕切りを有する組立体としての収納箱（包装箱としてもよい）５は、図１〜図１２に示すように構成され、外側構成部１０と、外側構成部１０の内側に設けられた仕切り部（内側構成部）６０とを有している。外側構成部１０と、仕切り部６０とは、ともに１枚のシート状のブランク（具体的には、段ボール材（好適には、薄型段ボール材）又は厚紙）により形成されている。なお、以下の説明において、「上下方向」と「左右方向」とは互いに直角をなすものとする。
【００２１】
外側構成部１０は、図１〜図５、図８に示すように、スリーブ状部（筒状部）２０と、底面部４０と、上面部５０とを有している。外側構成部１０の展開状態は、図８に示すようになる。
【００２２】
ここで、スリーブ状部２０は、糊代部（外側構成部糊代部）２２と、正面部（外側構成部正面部）２４と、右側面部（外側構成部右側面部）２６と、背面部（外側構成部背面部）２８と、左側面部（外側構成部左側面部）３０とを有している。収納箱５を組み立てた際には、正面部２４と背面部２８とは互いに平行となり、右側面部２６と左側面部３０とは互いに平行となり、スリーブ状部２０は全体に四角筒状となる。
【００２３】
糊代部２２は、略縦長長方形状の側方の端部に台形形状の切欠部Ｋ０を形成した形状を呈している。糊代部２２は、左側面部３０の内側の面に接着されている。この切欠部Ｋ０は、収納箱５の製造に際して、仕切り部６０の糊代部１１４が第１中間部本体部８６に接着する領域を確保するために形成されている。なお、切欠部Ｋ０の左右方向の幅Ａ５は、糊代部１１４の左右方向の長さＢ７と略同一（少なくともＡ５はＢ７以上）に形成されている。また、糊代部２２の上端から下端まで連続して左側面部３０と接着するように、糊代部２２の左右方向の幅Ａ０は、仕切り部６０の糊代部１１４の左右方向の幅Ｂ７よりも大きく形成されていて（Ａ０＞Ｂ７）、製造に際して糊代部１１４が切欠部Ｋ０内に配置された状態でも、左側面部３０が接着剤塗布領域Ｎ３を介して糊代部２２に接着するようになっている。具体的には、糊代部２２の左右方向の幅Ａ０は、切欠部Ｋ０の左右方向の幅Ａ５の略２倍の大きさとなっている。なお、この接着剤塗布領域Ｎ３は、図１５に示すように、上面部５０のフラップ部５１の上端付近から底面部４０のフラップ部４１の下端付近まで１つの領域により形成されている。この接着剤塗布領域Ｎ３は、左右方向には、切欠部Ｋ０の内側（折れ線Ｃ１側）の領域に形成される。なお、接着剤塗布領域Ｎ３は、図８における裏側の面に形成される。
【００２４】
また、正面部２４は、糊代部２２の長手辺から折れ線Ｃ１（第１折れ線）を介して連設され、方形状を呈している。この正面部２４には、接着剤塗布領域Ｍ１が設けられ、製造に際して、該接着剤塗布領域Ｍ１に接着剤が塗布される。この接着剤塗布領域Ｍ１は、製造時に仕切り部６０を外側構成部１０の上面に配置した際に（図１５参照）、仕切り部６０における正面部６２が接する領域内に設けられる（図１３参照）。
【００２５】
また、右側面部２６は、正面部２４の糊代部２２とは反対側の辺部から折れ線Ｃ２（第２折れ線）を介して連設され、方形状を呈している。この右側面部２６には、接着剤塗布領域Ｍ２が設けられ、接着剤塗布領域Ｍ２は、製造時に仕切り部６０を外側構成部１０の上面に配置した際に（図１５参照）、外側右側面部９０が接する領域内に設けられる（図１３参照）。
【００２６】
また、背面部２８は、右側面部２６の正面部２４とは反対側の辺部から折れ線Ｃ３（第３折れ線）を介して連設され、方形状を呈している。この背面部２８には、接着剤塗布領域Ｍ３が設けられ、接着剤塗布領域Ｍ３は、製造時に仕切り部６０を外側構成部１０の上面に配置した際に（図１５参照）、背面部９８が接する領域内に設けられる（図１３参照）。
【００２７】
また、左側面部３０は、背面部２８の右側面部２６とは反対側の辺部から折れ線Ｃ４（第４折れ線）を介して連設され、方形状を呈している。また、左側面部３０には、接着剤塗布領域Ｍ４が設けられ、接着剤塗布領域Ｍ４は、製造時に仕切り部６０を外側構成部１０の上面に配置した際に（図１５参照）、外側左側面部１１２が接する領域内に設けられる（図１３参照）。
【００２８】
なお、折れ線Ｃ２の延長線上に略Ｉ字状の切込みＫａが形成され、折れ線Ｃ４の延長線上に略Ｉ字状の切込みＫｂが形成されている。
【００２９】
なお、折れ線Ｃ１と折れ線Ｃ２間の左右方向の長さ（正面部２４の左右方向の長さ（最大長さ））Ａ１（第１長さ）と、折れ線Ｃ３と折れ線Ｃ４間の左右方向の長さ（背面部２８の左右方向の長さ（最大長さ））Ａ３（第３長さ）とは略同一（同一としてもよい）に形成され、仕切り部６０における基準長さ（長さＢ２、Ｂ５等）の略４倍（丁度４倍としてもよい）の長さとなっている。また、折れ線Ｃ２と折れ線Ｃ３間の左右方向の長さ（右側面部２６の左右方向の長さ（最大長さ））Ａ２（第２長さ）と、左側面部３０における折れ線Ｃ４と折れ線Ｃ４とは反対側の端部間の左右方向の長さ（左側面部３０の左右方向の長さ（最大長さ））Ａ４（第４長さ）は略同一（同一としてもよい）に形成され、仕切り部６０における基準長さ（長さＢ２、Ｂ５等）の略３倍（丁度３倍としてもよい）の長さとなっている。よって、長さＡ１と長さＡ３は、長さＡ２と長さＡ４の約４／３倍の長さを呈している。つまり、Ａ１（Ａ３）≒４／３×Ａ２（Ａ４）となっている。
【００３０】
また、正面部２４と右側面部２６と背面部２８と左側面部３０における上下方向の長さは略同一に形成されている。これにより、正面部２４と背面部２８とは略同大同形状に形成され、右側面部２６と左側面部３０とは略同大同形状に形成されている。また、正面部２４〜左側面部３０の上辺は直線状に形成され、その下辺も直線状に形成されている。なお、糊代部２２の左右方向の幅Ａ０は、当然、左側面部３０の左右方向の長さＡ４よりも短く形成されている。
【００３１】
また、底面部４０は、フラップ部４１と、底面板部４２と、フラップ部４４と、底面板部４６と、フラップ部４８とを有している。
【００３２】
フラップ部４１は、糊代部２２の下辺から折れ線を介して連設され、方形状を呈している。このフラップ部４１は、接着剤塗布領域Ｎ３を介してフラップ部４８と接着する。
【００３３】
また、底面板部４２は、正面部２４の下辺から折れ線を介して連設され、方形状を呈している。
【００３４】
また、フラップ部４４は、右側面部２６の下辺から折れ線を介して連設され、方形状を呈している。
【００３５】
また、底面板部４６は、背面部２８の下辺から折れ線を介して連設され、底面板部４２と同様の構成となっている。
【００３６】
また、フラップ部４８は、左側面部３０の下辺から折れ線を介して連設され、フラップ部４４と略同様の構成となっている。ただし、フラップ部４４と異なり、先端側の一方の角部が面取りされている。
【００３７】
フラップ部４１と底面板部４２とフラップ部４４と底面板部４６とフラップ部４８のスリーブ状部２０側の端部とスリーブ状部２０側の端部と反対側の端部間の幅は、互いに略同一であり、右側面部２６や左側面部３０の左右方向の幅の略１／２に形成されている。
【００３８】
底面部４０を閉状態とする場合には、フラップ部４４を右側面部２６に対して折り曲げるとともに、フラップ部４８（フラップ部４８にはフラップ部４１が接着されている）を左側面部３０に対して折り曲げ、その後、底面板部４２を正面部２４に対して折り曲げるとともに、底面板部４６を背面部２８に対して折り曲げて、接着テープにより底面板部４２と底面板部４６とを固定して閉状態とする。
【００３９】
また、上面部５０は、フラップ部５１と、上面板部５２と、フラップ部５４と、上面板部５６と、フラップ部５８とを有している。上面部５０における各部の構成は、底面部４０における各部と対称に形成されている。
【００４０】
すなわち、フラップ部５１は、糊代部２２の上辺から折れ線を介して連設され、方形状を呈している。このフラップ部５１は、接着剤塗布領域Ｎ３を介してフラップ部５８と接着する。
【００４１】
また、上面板部５２は、正面部２４の上辺から折れ線を介して連設され、方形状を呈している。
【００４２】
また、フラップ部５４は、右側面部２６の上辺から折れ線を介して連設され、方形状を呈している。
【００４３】
また、上面板部５６は、背面部２８の上辺から折れ線を介して連設され、上面板部５２と同様の構成となっている。
【００４４】
また、フラップ部５８は、左側面部３０の上辺から折れ線を介して連設され、フラップ部５４と略同様の構成となっている。ただし、フラップ部５４と異なり、先端側の一方の角部が面取りされている。
【００４５】
フラップ部５１と上面板部５２とフラップ部５４と上面板部５６とフラップ部５８のスリーブ状部２０側の端部とスリーブ状部２０側の端部と反対側の端部間の幅は、互いに略同一であり、右側面部２６や左側面部３０の左右方向の幅の略１／２に形成されている。
【００４６】
上面部５０を閉状態とする場合の方法は、底面部４０の場合と同様であるので詳しい説明を省略する。
【００４７】
なお、底面部４０と上面部５０とは、筒状に形成された外側構成部の開口部を閉じる蓋部として機能する。
【００４８】
次に、仕切り部６０は、図５〜図７、図９〜図１２に示すように、正面部（仕切り部正面部）６２と、第１中間部（仕切り部第１中間部）１２０と、第２中間部（仕切り部第２中間部）１３０と、背面部（仕切り部背面部）９８と、右側面部（仕切り部右側面部）１４０と、左側面部（仕切り部左側面部）１５０と、糊代部（仕切り部糊代部）１１４と、仕切り片７０、７２、７４、８０、８２、８４、１００、１０２、１０４とを有し、概して、正面部６２と、第１中間部１２０と、第２中間部１３０と、背面部９８と、右側面部１４０と、左側面部１５０とからなる構成（特に、第１中間部１２０と、第２中間部１３０と、右側面部１４０と、左側面部１５０とからなる枠状部）に仕切り片７０、７２、７４、８０、８２、８４、１００、１０２、１０４が支持された構成となっている。ここで、第１中間部１２０は、第１中間部下側部（仕切り部第１中間部下側部）７６と第１中間部本体部（仕切り部第１中間部本体部）８６とを有し、第２中間部１３０は、第２中間部下側部（仕切り部第２中間部下側部）７８と第２中間部本体部（仕切り部第２中間部本体部）１０６とを有し、右側面部１４０は、内側右側面部（仕切り部内側右側面部）８８と外側右側面部（仕切り部外側右側面部）９０とを有し、左側面部１５０は、内側左側面部（仕切り部内側左側面部）１１０と外側左側面部（仕切り部外側左側面部）１１２とを有している。
【００４９】
仕切り部６０の詳細について主として図９〜図１２の展開図を使用して説明する。まず、正面部６２は、横長の長方形状の本体部６２ａと該本体部６２ａの長辺に沿って設けられた突状部６２ｂ、６２ｃ、６２ｄとを有し、突状部（第９突状部）６２ｂは、本体部６２ａの上辺の左側の端部から突出して略方形状を呈している。また、突状部（第１０突状部）６２ｃは、突状部６２ｂから略直線状の切込みＫ１の長さと開口部Ｋ３の幅分の間隔を介して形成され、略１／４円形状に形成されている。また、突状部（第１１突状部）６２ｄは、本体部６２ａの上辺の右側の端部から突出して形成され、突状部６２ｂから略直線状の切込みＫ２の長さと開口部Ｋ４の幅分の間隔を介して形成され、略１／４円形状に形成されている。
【００５０】
また、仕切り片７０、７２、７４は、正面部６２と折れ線を介して連設され、仕切り片（第４仕切り片）７０は、突状部６２ｂの突状部６２ｃ側の辺部から上下方向の折れ線Ｃ１１を介して連設され、左右方向の切込みＫ１を介して本体部６２ａと隣接している。この仕切り片７０は、方形状の１つの角部（図９、図１０における左上の角部）を傾斜辺７０ａにより斜めに欠切するとともに、開口部Ｋ３の略円弧状部Ｋ３ａにより傾斜辺７０ａの反対側（対角）の角部が略円弧状に欠切された形状となっている。つまり、仕切り片７０は、折れ線Ｃ１１と切込みＫ１と開口部Ｋ３の略円弧状部Ｋ３ａと開口部Ｋ３の直線状部Ｋ３ｂと折れ線Ｃ１４と略直線状の切込みＫ５と傾斜辺７０ａにより囲まれた形状を呈している。
【００５１】
また、仕切り片（第５仕切り片）７２は、突状部６２ｃの突状部６２ｄ側の辺部から上下方向の折れ線Ｃ１２を介して連設され、左右方向の切込みＫ２を介して本体部６２ａと隣接している。この仕切り片７２は、方形状の１つの角部（図９、図１０における左上の角部）を開口部Ｋ３の略円弧状部Ｋ３ｃにより円弧状に欠切するとともに、該角部と反対側（対角）の角部（図９、図１０における右下の角部）を開口部Ｋ３の略円弧状部Ｋ４ａにより略円弧状に欠切した形状を呈している。つまり、仕切り片７２は、折れ線Ｃ１２と切込みＫ２と開口部Ｋ４の略円弧状部Ｋ４ａと開口部Ｋ４の直線状部Ｋ４ｂと折れ線Ｃ１５と略直線状の切込みＫ６と開口部Ｋ３の略円弧状部Ｋ３ｃと直線状部Ｋ３ｂにより囲まれた形状を呈している。
【００５２】
また、仕切り片（第６仕切り片）７４は、突状部６２ｄの突状部６２ｃと反対側の辺部から上下方向の折れ線Ｃ１３を介して連設され、仕切り片７０と略点対称の形状を呈している。つまり、この仕切り片７４は、方形状の１つの角部（図９、図１０における右下の角部）を傾斜辺７４ｂにより斜めに欠切するとともに、該傾斜辺７０ａの反対側（対角）の角部（図９、図１０における左上の角部）を開口部Ｋ４の略円弧状部Ｋ４ｃにより略円弧状に欠切した形状を呈し、折れ線Ｃ１３と、左右方向の辺部７４ａと傾斜片７４ｂと上下方向の折れ線Ｃ１６と略直線状の切込みＫ７と開口部Ｋ４の略円弧状部Ｋ４ｃと直線状部Ｋ４ｂにより囲まれた形状を呈している。
【００５３】
なお、切込みＫ１と切込みＫ２と辺部７４ａは左右方向に形成され、互いに同一直線上に形成されている。
【００５４】
また、折れ線Ｃ１２と折れ線Ｃ１４は上下方向に形成され、同一直線上に形成されている。また、折れ線Ｃ１３と折れ線Ｃ１５は上下方向に形成され、同一直線上に形成されている。
【００５５】
また、切込みＫ５と切込みＫ６と切込みＫ７は左右方向に形成され、互いに同一直線上に形成されている。
【００５６】
また、第１中間部下側部７６は、横長の台形形状の本体部７６ａと該本体部７６ａの長辺に沿って設けられた突状部７６ｂ、７６ｃ、７６ｄとを有している。
【００５７】
本体部７６ａは、略直線状の切込みＫ５を介して仕切り片７０と隣接し、略直線状の切込みＫ６を介して仕切り片７２と隣接し、略Ｌ字状の切込みＫ７を介して仕切り片７４と隣接している。
【００５８】
また、突状部（第８突状部）７６ｂは、本体部７６ａの下辺の右側の端部から突出して略方形状を呈している。突状部７６ｂの突状部７６ｃ側の辺部は、折れ線Ｃ１６を介して仕切り片７４と連設されている。また、突状部（第７突状部）７６ｃは、突状部７６ｂから切込みＫ７の長さと開口部Ｋ４の幅分の間隔を介して形成され、略１／４円形状に形成されている。突状部７６ｃの突状部７６ｄ側の辺部は、折れ線Ｃ１５を介して仕切り片７２と連設されている。また、突状部（第６突状部）７６ｄは、突状部７６ｃから切込みＫ６の長さと開口部Ｋ３の幅分の間隔を介して形成され、略１／４円形状に形成されている。突状部７６ｄの突状部７６ｃと反対側の辺部は、折れ線Ｃ１４を介して仕切り片７０と連設されている。
【００５９】
また、開口部Ｋ３は、略円弧状部Ｋ３ａと直線状部Ｋ３ｂと略円弧状部Ｋ３ｃとを連設してなり、直線状部Ｋ３ｂの上側に連設された折れ線Ｃ１４と下側に連設された折れ線Ｃ１２は、直線状部Ｋ３ｂの上下方向の中心線の延長線上に設けられる。また、開口部Ｋ４は、略円弧状部Ｋ４ａと直線状部Ｋ４ｂと略円弧状部Ｋ４ｃとを連設してなり、直線状部Ｋ４ｂの上側に連設された折れ線Ｃ１５と下側に連設された折れ線Ｃ１３は、直線状部Ｋ４ｂの上下方向の中心線の延長線上に設けられる。
【００６０】
正面部６２と仕切り片７０、７２、７４と第１中間部下側部７６とは、上記のように構成されているので、正面部６２を第１中間部下側部７６に対して平行に移動させることにより、仕切り片７０、７２、７４における各仕切り片が折れ線を介して正面部６２及び第１中間部下側部７６に対して折れ曲がり、仕切り片７０、７２、７４が、正面部６２及び第１中間部下側部７６と直角になる。
【００６１】
なお、正面部６２と仕切り片７０、７２、７４と、第１中間部下側部７６とは、収納箱５を製造した際には、図９、図１０の状態に対して上下逆の状態になる。
【００６２】
また、第２中間部下側部７８は、第１中間部下側部７６の上辺（製造した際には下辺）から折れ線を介して連設され、横長の長方形状の本体部７８ａと該本体部７８ａの長辺（上辺）に沿って設けられた突状部７８ｂ、７８ｃ、７８ｄとを有し、突状部（第５突状部）７８ｂは、本体部７８ａの上辺の右側の端部から突出して略方形状を呈している。また、突状部（第４突状部）７８ｃは、突状部７８ａから切込みＫ１３の長さと開口部Ｋ１６の幅分の間隔を介して形成され、略１／４円形状に形成されている。また、突状部（第３突状部）７８ｄは、突状部７８ｃから切込みＫ１２の長さと開口部Ｋ１５の幅分の間隔を介して形成され、横長長方形状の上側に略１／４円形状を連設した形状に形成されている。
【００６３】
この第２中間部下側部７８は、第１中間部下側部７６とは切込みＫ１０ａを介して連設している。
【００６４】
この第２中間部下側部７８は、左右方向に折れ線Ｃ２１、Ｃ２６から縦長部８６ａ−２側（図９、図１１における左側）に突出して形成することにより突状部７８ｅが設けられ、この突状部７８ｅに設けられる接着剤塗布領域Ｎ２に塗布される接着剤により第２中間部本体部１０６の縦長部１０６ａ−２に接着される。つまり、接着剤塗布領域Ｎ２は、第２中間部下側部７８の仕切り片８０側の端部に設けられる。
【００６５】
また、第２中間部下側部７８は、左右方向に折れ線Ｃ２３よりも右側（仕切り片８０とは反対側）に突出している。
【００６６】
また、仕切り片８０、８２、８４は、第２中間部下側部７８と折れ線を介して連設され、仕切り片８０（第１仕切り片）は、突状部７８ｄの突状部７８ｃと反対側の辺部から上下方向の折れ線Ｃ２１を介して連設され、略Ｌ字状の切込みＫ１１を介して第２中間部下側部７８と隣接している。この仕切り片８０は、方形状の１つの角部（図９、図１１における右下の角部）に方形状の切欠部を形成し、該角部の上側の角部（図９、図１１における右上の角部）が開口部Ｋ１５の略円弧状部Ｋ１５ａにより略円弧状に欠切された形状となっている。なお、仕切り片８０の第１中間部本体部８６と連設されている側には、縦長の長穴状の開口部Ｋ１４が形成されているので、その分仕切り片８０の辺部が窪んだ形状となっている。つまり、仕切り片８０は、折れ線Ｃ２１と切込みＫ１１と切込みＫ１０ｂと開口部Ｋ１４と折れ線Ｃ２５と切込みＫ１７と開口部Ｋ１５の略円弧状部Ｋ１５ａと直線状部Ｋ１５ｂとにより囲まれた形状を呈している。
【００６７】
また、この仕切り片８０は、第１中間部下側部７６とは切込みＫ１０ｂ（この切込みＫ１０ｂは切込み１０ａの延長線上にある）を介して連設している。
【００６８】
また、仕切り片（第２仕切り片）８２は、突状部７８ｃの突状部７８ｄ側の辺部から上下方向の折れ線Ｃ２２を介して連設され、左右方向の切込みＫ１２を介して第２中間部下側部７８と隣接している。この仕切り片８２は、方形状の１つの角部（図９、図１１における左下の角部）に開口部Ｋ１５の略円弧状部Ｋ１５ｃにより略円弧状に欠切するとともに、該角部の反対側（対角）の角部（図９、図１１における右上の角部）が開口部Ｋ１６の略円弧状部Ｋ１６ａにより略円弧状に欠切された形状となっている。つまり、仕切り片８２は、折れ線Ｃ２２と切込みＫ１２と開口部Ｋ１５の略円弧状部Ｋ１５ｃと開口部Ｋ１５の直線状部Ｋ１５ｂと折れ線Ｃ２６と略直線状の切込みＫ１８と開口部Ｋ１６の略円弧状部Ｋ１６ａと直線状部Ｋ１６ｂにより囲まれた形状を呈している。
【００６９】
また、仕切り片（第３仕切り片）８４は、突状部７８ｂの突状部７８ｃ側の辺部から上下方向の折れ線Ｃ２３を介して連設され、左右方向の切込みＫ１３を介して第２中間部下側部７８と隣接している。この仕切り片８４は、方形状の１つの角部（図９、図１１における左下の角部）に開口部Ｋ１６の略円弧状部Ｋ１６ｃにより略円弧状に欠切するとともに、該角部の反対側（対角）の角部（図９、図１１における右上の角部）が第１中間部本体部８６の突状部８６ｂにより略方形状に欠切された形状となっている。
【００７０】
なお、切込みＫ１２と切込みＫ１３は左右方向に形成され、互いに同一直線上に形成されている。
【００７１】
また、折れ線Ｃ２４と折れ線Ｃ２５は上下方向に形成され、同一直線上に形成されている。また、折れ線Ｃ２１と折れ線Ｃ２６は上下方向に形成され、同一直線上に形成されている。また、折れ線Ｃ２２と折れ線Ｃ２７は上下方向に形成され、同一直線上に形成されている。
【００７２】
また、切込みＫ１７と切込みＫ１８と切込みＫ１９ａは左右方向に形成され、互いに同一直線上に形成されている。
【００７３】
また、第１中間部本体部８６は、横向きのＬ字状の本体部８６ａと該本体部８６ａの内側の長辺に沿って設けられた突状部８６ｂ、８６ｃ、８６ｄとを有している。
【００７４】
すなわち、本体部８６ａは、横長長方形状に形成された横長部８６ａ−１と、横長部８６ａ−１の側辺から下方に連設され、縦長長方形状に形成された縦長部（第１領域）８６ａ−２とを有していて、全体に横向きのＬ字状を呈している。この本体部８６ａは、略直線状の切込みＫ１７を介して仕切り片８０と隣接し、略直線状の切込みＫ１８を介して仕切り片８２と隣接し、切込みＫ１９を介して仕切り片８４と隣接している。ここで、切込みＫ１９は、略直線状の切込みＫ１９ａと略Ｌ字状の切込みＫ１９ｂとを連設して構成されている。
【００７５】
また、縦長部８６ａ−２は、折れ線Ｃ２４及び折れ線Ｃ２５を介して仕切り片８０と連設され、折れ線Ｃ２４と折れ線２５の間には、上下方向に開口部Ｋ１４が設けられ、開口部Ｋ１４の縦長部８６ａ−２側の辺部は、折れ線Ｃ２４、Ｃ２５の延長線上にある。
【００７６】
また、突状部８６ｂは、本体部８６ａの下辺の右側の端部から突出して略方形状を呈している。突状部８６ｂの下側の辺部と左側（突状部８６ｃ側）の辺部は、切込みＫ１９ｂを介して仕切り片８４と隣接している。
【００７７】
また、突状部（第２突状部）８６ｃは、突状部８６ｂから切込みＫ１９ａの長さを介して形成され、略１／４円形状に形成されている。また、突状部（第１突状部）８６ｄは、突状部８６ｃから開口部Ｋ１６の幅分の間隔と切込みＫ１８の長さの間隔を介して形成され、略１／４円形状に形成されている。
【００７８】
また、開口部Ｋ１５は、略円弧状部Ｋ１５ａと直線状部Ｋ１５ｂと略円弧状部Ｋ１５ｃとを連設してなり、直線状部Ｋ１５ｂの上側に連設された折れ線Ｃ２６と下側に連設された折れ線Ｃ２１は、直線状部Ｋ１５ｂの上下方向の中心線の延長線上に設けられる。また、開口部Ｋ１６は、略円弧状部Ｋ１６ａと直線状部Ｋ１６ｂと略円弧状部Ｋ１６ｃとを連設してなり、直線状部Ｋ１６ｂの上側に連設された折れ線Ｃ２７と下側に連設された折れ線Ｃ２２は、直線状部Ｋ１６ｂの上下方向の中心線の延長線上に設けられる。なお、横長部８６ａ−１と突状部８６ｃ、８６ｄが、第２領域に当たる。
【００７９】
第２中間部下側部７８と仕切り片８０、８２、８４と第１中間部本体部８６とは、上記のように構成されているので、第２中間部下側部７８を第１中間部本体部８６に対して平行に移動させることにより、仕切り片８０、８２、８４における各仕切り片が折れ線を介して第２中間部下側部７８及び第１中間部本体部８６に対して折れ曲がり、仕切り片８０、８２、８４が、第２中間部下側部７８及び第１中間部本体部８６と直角になる。
【００８０】
また、内側右側面部８８は、第１中間部本体部８６の縦長部８６ａ−２の横長部８６ａ−１側とは反対側の辺部から上下方向の折れ線Ｃ５を介して連設され、縦長の長方形状の一対の角部にアールを形成した形状を呈している。つまり、内側右側面部８８の第１中間部本体部８６側とは反対側の一対の角部（上側と下側の角部）にアールが形成されている。この内側右側面部８８は、内側右側面部８８に設けられる接着剤塗布領域Ｎ１に塗布される接着剤により外側右側面部９０に接着される。この接着剤塗布領域Ｎ１は、内側右側面部８８の折れ線Ｃ５側の領域に折れ線Ｃ５に沿って形成される。
【００８１】
また、外側右側面部９０は、内側右側面部８８の第１中間部本体部８６側とは反対側の辺部から折れ線Ｃ６を介して連設され、方形状の一対の角部にアールを形成した形状を呈している。つまり、外側右側面部９０の内側右側面部８８側の一対の角部には内側右側面部８８の角部に形成されたアールと同様の形状のアールが形成されている。
【００８２】
また、背面部９８は、横長の長方形状の本体部９８ａと該本体部９８ａの長辺（上辺）に沿って設けられた突状部９８ｂ、９８ｃとを有し、突状部（第１５突状部）９８ｂは、本体部９８ａの上辺の左側（内側左側面部１１０側）の端部から上方に突出して形成され、略１／４円形状を連設した形状に形成されている。また、突状部（第１４突状部）９８ｃは、突状部９８ｂから切込みＫ２３の長さと開口部Ｋ２６の幅分の間隔を介して形成され、略１／４円形状に形成されている。なお、背面部９８は、左右方向に折れ線Ｃ３３よりも左側（仕切り片１００とは反対側）に突出している。
【００８３】
また、仕切り片１００、１０２、１０４は、背面部９８と折れ線を介して連設され、仕切り片（第７仕切り片）１００は、背面部９８の内側左側面部１１０と反対側の辺部から上下方向の折れ線Ｃ３１を介して連設されている。この仕切り片１００は、方形状の１つの角部（図９、図１２における左上の角部）を開口部Ｋ２５の略円弧状部Ｋ２５ａにより略円弧状に欠切した形状となっている。なお、仕切り片１００の第２中間部本体部１０６と連設されている側には、縦長の長穴状の開口部Ｋ２４が形成されているので、その分仕切り片１００の辺部が窪んだ形状となっている。つまり、仕切り片１００は、折れ線Ｃ３１と開口部Ｋ２５と切込みＫ２７と折れ線Ｃ３５と開口部Ｋ２４と折れ線Ｃ３４とにより囲まれた形状を呈している。
【００８４】
なお、仕切り片１００の背面部９８との境界位置には、折れ線Ｃ３１の下側に切欠部Ｋ３０が形成されている。
【００８５】
また、仕切り片（第８仕切り片）１０２は、突状部９８ｃの突状部９８ｂとは反対側の辺部から上下方向の折れ線Ｃ３２を介して連設され、左右方向の切込みＫ２２を介して背面部９８と隣接している。この仕切り片１０２は、方形状の１つの角部（図９、図１２における左上の角部）に開口部Ｋ２６の略円弧状部Ｋ２６ａにより略円弧状に欠切した形状となっている。つまり、仕切り片１０２は、折れ線Ｃ３２と切込みＫ２２と開口部Ｋ２５の直線状部Ｋ２５ｂと折れ線Ｃ３６と略直線状の切込みＫ２８と開口部Ｋ２６の略円弧状部Ｋ２６ａと直線状部Ｋ２６ｂにより囲まれた形状を呈している。
【００８６】
また、仕切り片（第９仕切り片）１０４は、突状部９８ｂの突状部９８ｃ側の辺部から上下方向の折れ線Ｃ３３を介して連設され、左右方向の切込みＫ２３を介して背面部９８と隣接している。この仕切り片１０４は、方形状の１つの角部（図９、図１２における右下の角部）に開口部Ｋ２６の略円弧状部Ｋ２６ｃにより略円弧状に欠切された形状となっている。
【００８７】
なお、切込みＫ２２と切込みＫ２３は左右方向に形成され、互いに同一直線上に形成されている。
【００８８】
また、折れ線Ｃ３４と折れ線Ｃ３５は上下方向に形成され、同一直線上に形成されている。また、折れ線Ｃ３１と折れ線Ｃ３６は上下方向に形成され、同一直線上に形成されている。また、折れ線Ｃ３２と折れ線Ｃ３７は上下方向に形成され、同一直線上に形成されている。また、折れ線Ｃ３３と折れ線Ｃ８は上下方向に形成され、同一直線上に形成されている。
【００８９】
また、切込みＫ２７と切込みＫ２８と切込みＫ２９は左右方向に形成され、互いに同一直線上に形成されている。
【００９０】
また、第２中間部本体部１０６は、横向きのＬ字状の本体部１０６ａと該本体部１０６ａの内側の長辺に沿って設けられた突状部１０６ｂ、１０６ｃ、１０６ｄとを有している。
【００９１】
すなわち、本体部１０６ａは、横長長方形状に形成された横長部１０６ａ−１と、横長部１０６ａ−１の側辺から下方に連設され、縦長長方形状に形成された縦長部（第３領域）１０６ａ−２とを有していて、全体に横向きのＬ字状を呈している。この本体部１０６ａは、略直線状の切込みＫ２７を介して仕切り片１００と隣接し、略直線状の切込みＫ２８を介して仕切り片１０２と隣接し、切込みＫ２９を介して仕切り片１０４と隣接している。
【００９２】
また、本体部１０６ａの側辺（縦長部１０６ａ−２の横長部１０６ａ−１とは反対側の側辺）からは上下方向の折れ線Ｃ７を介して外側右側面部９０と連設されている
また、縦長部１０６ａ−２は、折れ線Ｃ３４及び折れ線Ｃ３５を介して仕切り片１００と連設され、折れ線Ｃ３４と折れ線３５の間には、上下方向に開口部Ｋ２４が設けられ、開口部Ｋ２４の縦長部１０６ａ−２側の辺部は、折れ線Ｃ２４、Ｃ２５の延長線上にある。
【００９３】
また、突状部（第１３突状部）１０６ｂは、横長部１０６ａ−１の左側の端部から切込みＫ２９の長さを介して形成され、略１／４円形状に形成されている。また、突状部（第１２突状部）１０６ｃは、突状部１０６ｂから開口部Ｋ２６の幅分の間隔と切込みＫ２８の長さの間隔を介して形成され、略１／４円形状に形成されている。
【００９４】
また、開口部Ｋ２５は、略円弧状部Ｋ２５ａと直線状部Ｋ２５ｂとを連設してなり、直線状部Ｋ２５ｂの上側に連設された折れ線Ｃ３６と下側に連設された折れ線Ｃ３１は、直線状部Ｋ２５ｂの上下方向の中心線の延長線上に設けられる。また、開口部Ｋ２６は、略円弧状部Ｋ２６ａと直線状部Ｋ２６ｂと略円弧状部Ｋ２６ｃとを連設してなり、直線状部Ｋ２６ｂの上側に連設された折れ線Ｃ３７と下側に連設された折れ線Ｃ３２は、直線状部Ｋ２６ｂの上下方向の中心線の延長線上に設けられる。なお、横長部１０６ａ−１と突状部１０６ｂ、１０６ｃが、第４領域に当たる。
【００９５】
背面部９８と仕切り片１００、１０２、１０４と第２中間部本体部１０６とは、上記のように構成されているので、背面部９８を第２中間部本体部１０６に対して平行に移動させることにより、仕切り片１００、１０２、１０４における各仕切り片が折れ線を介して背面部９８及び第２中間部本体部１０６に対して折れ曲がり、仕切り片１００、１０２、１０４が、背面部９８及び第２中間部本体部１０６と直角になる。
【００９６】
また、内側左側面部１１０は、第２中間部本体部１０６の外側右側面部９０とは反対側の辺部から折れ線Ｃ８を介して連設されるとともに、背面部９８の仕切り片１００側とは反対側の辺部から折れ線Ｃ４１（折れ線Ｃ４１は、左右方向に折れ線Ｃ３３よりも折れ線Ｃ９側にある）を介して連設され、縦長の長方形状の一対の角部にアールを形成した形状（つまり、内側右側面部８８と同一の形状）に、開口部Ｋ４０の略円弧状部Ｋ４０ｂと背面部９８の端部を設けるための切欠部を形成した形状となっている。
【００９７】
つまり、内側左側面部１１０と横長部１０６ａ−１及び仕切り片１０４間には、開口部Ｋ４０の直線状部Ｋ４０ａが設けられ、直線状部Ｋ４０ａの上側に設けられた折れ線Ｃ８と下側に設けられた折れ線Ｃ３３は、直線状部Ｋ４０ａの上下方向の中心線の延長線上に設けられる。内側左側面部１１０と背面部９８間には、開口部Ｋ４０の略円弧状部Ｋ４０ｂが設けられている。また、折れ線Ｃ４１は、略円弧状部Ｋ４０ｂの中心線の延長線上に略円弧状部Ｋ４０ｂの下端から連設されている。
【００９８】
なお、内側左側面部１１０の第２中間部本体部１０６との境界位置には、折れ線Ｃ８の上側に切欠部Ｋ４１が形成され、内側左側面部１１０の背面部９８との境界位置には、折れ線Ｃ４１の下側に切欠部Ｋ４２が形成されている。
【００９９】
また、収納箱５を立体的に組み立てて仕切り部６０を立体的に組み立てる際に、折れ線Ｃ４１に沿って破断するように、折れ線Ｃ４１に沿ってミシン目状の切目線が形成されている。
【０１００】
また、外側左側面部１１２は、内側左側面部１１０の第２中間部本体部１０６側とは反対側の辺部から折れ線Ｃ９を介して連設され、方形状の一対の角部にアールを形成するとともに内側左側面部１１０とは反対側の下側に縦長方形状の切欠部Ｋ５０を有する形状を呈している。つまり、外側左側面部１１２の内側左側面部１１０側の一対の角部には内側左側面部１１０の角部に形成されたアールと同様の形状のアールが形成されている。なお、外側左側面部１１２に切欠部Ｋ５０が形成されていることにより、外側左側面部１１２には、内側左側面部１１０と反対側の上側に突状部１１２ａが形成されている。
【０１０１】
この外側左側面部１１２は、外側左側面部１１２に設けられる接着剤塗布領域Ｎ４に塗布される接着剤により内側左側面部１１０に接着される。この接着剤塗布領域Ｎ４は、折れ線Ｃ９を介して内側左側面部１１０を折り返した際に内側左側面部１１０が接する領域に設けられ、外側左側面部１１２の左右方向の中間位置の内側左側面部１１０側に上下方向に形成される。
【０１０２】
また、糊代部１１４は、外側左側面部１１２の内側左側面部１１０とは反対側の端部（突状部１１２ａの端部）から折れ線Ｃ４３を介して連設され、縦長の台形形状を呈している。この糊代部１１４は、外側構成部糊代部２２の切欠部Ｋ０内に配置可能な形状及び大きさに形成され、この糊代部１１４に設けられる接着剤塗布領域Ｎ５に塗布される接着剤により第１中間部本体部８６の突状部８６ｂが形成された側の端部（横長部８６ａ−１の縦長部８６ａ−２と反対側の端部）に接着される。
【０１０３】
なお、第１中間部本体部８６の上辺と、内側右側面部８８の上辺と、外側右側面部９０の上辺と、第２中間部本体部１０６の上辺と、内側左側面部１１０の上辺と、外側左側面部１１２の上辺（「上辺群」とする）とは、同一直線上にあり、第２中間部下側部７８の下辺と、仕切り片８０の下辺と、第１中間部本体部８６の下辺と、内側右側面部８８の下辺と、外側右側面部９０の下辺と、第２中間部本体部１０６の下辺と、仕切り片１００の下辺と、背面部９８の下辺と、内側左側面部１１０の下辺と、外側左側面部１１２の下辺（「下辺群」とする）とは、同一直線上にある。また、該上辺群と該下辺群とは互いに平行となっている。
【０１０４】
仕切り部６０において、上記下辺群及びその延長線よりも下側の部材を仕切り部突出部６０Ａとし、上記下辺群及びその延長線よりも上側の部材を仕切り部本体部６０Ｂとする。つまり、仕切り部突出部６０Ａは、第１中間部下側部７６と仕切り片７０、７２、７４と正面部６２により構成され、仕切り部本体部６０Ｂは、その他の部材により構成される。
【０１０５】
なお、折れ線Ｃ５と第２中間部本体部８６の辺部Ｈ１間の左右方向の長さＢ１（第１中間部本体部８６の左右方向の長さ）と、折れ線Ｃ７と折れ線Ｃ８（Ｃ３３）間の左右方向の長さＢ４とは略同一であり、基準長さ（長さＢ２、Ｂ５）の略４倍（丁度４倍としてもよい）の長さとなっている。また、折れ線Ｃ６と折れ線Ｃ７間の左右方向の長さＢ３（外側右側面部９０の左右方向の長さ）と、折れ線Ｃ９と折れ線Ｃ４３間の左右方向の長さＢ６（外側左側面部１１２の左右方向の長さ）は、基準長さの略２倍（丁度２倍としてもよい）の長さとなっている。
【０１０６】
また、折れ線Ｃ１１と折れ線Ｃ１２（Ｃ１４）間の左右方向の長さＢ１１（仕切り片７０の左右方向の長さ）と、また、折れ線Ｃ１２（Ｃ１４）と折れ線Ｃ１３（Ｃ１５）間の左右方向の長さＢ１２（仕切り片７２の左右方向の長さ）と、折れ線Ｃ１３（Ｃ１５）と折れ線Ｃ１６間の左右方向の長さＢ１３（仕切り片７４の左右方向の長さ）は、基準長さと略同一（丁度同一としてもよい）となっている。また、図９〜図１２に示す展開状態において、折れ線Ｃ１１と折れ線Ｃ５とは左右方向において一致しており、折れ線Ｃ１２（Ｃ１４）と折れ線Ｃ２４（Ｃ２５）とは左右方向で一致しており、折れ線Ｃ１３（Ｃ１５）と折れ線Ｃ２１（Ｃ２６）と左右方向で一致している。
【０１０７】
また、折れ線Ｃ５と折れ線Ｃ２４（Ｃ２５）間の左右方向の長さＢ２０（縦長部８６ａ−２の左右方向の長さ）と、折れ線Ｃ２４（Ｃ２５）と折れ線Ｃ２１（Ｃ２６）間の左右方向の長さＢ２１（仕切り片８０の左右方向の長さ）と、また、折れ線Ｃ２１（Ｃ２６）と折れ線Ｃ２２（Ｃ２７）間の左右方向の長さＢ２２（仕切り片８２の左右方向の長さ）と、折れ線Ｃ２２（Ｃ２７）と折れ線Ｃ２３間の左右方向の長さＢ２３（仕切り片８４の左右方向の長さ）は、基準長さと略同一（丁度同一としてもよい）となっている。
【０１０８】
また、折れ線Ｃ７と折れ線Ｃ３４（Ｃ３５）間の左右方向の長さＢ３０（縦長部１０６ａ−２の左右方向の長さ）と、折れ線Ｃ３４（Ｃ３５）と折れ線Ｃ３１（Ｃ３６）間の左右方向の長さＢ３１（仕切り片１００の左右方向の長さ）と、また、折れ線Ｃ３１（Ｃ３６）と折れ線Ｃ３２（Ｃ３７）間の左右方向の長さＢ３２（仕切り片１０２の左右方向の長さ）と、折れ線Ｃ３２（Ｃ３７）と折れ線Ｃ３３（Ｃ８）間の左右方向の長さＢ３３（仕切り片１０４の左右方向の長さ）は、基準長さと略同一（丁度同一としてもよい）となっている。
【０１０９】
また、第２中間部下側部７８における折れ線Ｃ２３と辺部Ｈ２間の左右方向の長さＢ０や、正面部６２における折れ線Ｃ１１と辺部Ｈ３間の左右方向の長さＢ１０や、糊代部１１４における折れ線Ｃ４３と辺部Ｈ４間の左右方向の長さＢ７は、基準長さよりも小さく形成されている。
【０１１０】
また、仕切り部本体部６０Ｂの上辺群と下辺群間の上下方向の長さ（つまり、仕切り部本体部６０Ｂの上下方向の長さ）Ｂ４１と、下辺群と正面部６２の辺部Ｈ５（突状部６２ｂ、６２ｃ、６２ｄが設けられている辺部とは反対側の辺部）間の上下方向の長さ（つまり、仕切り部突出部６０Ａの上下方向の長さ）Ｂ４２とは、略同一（丁度同一としてもよい）に形成されている。また、長さＢ４１、Ｂ４２は、外側構成部１０におけるスリーブ状部２０の上下方向の長さＡ６以下の長さに形成されている。
【０１１１】
以上のようにして、仕切り部６０における折れ線Ｃ６と折れ線Ｃ９間の長さと、外側構成部１０における折れ線Ｃ２と折れ線Ｃ４間の長さとは、ともに、基準長さの略７倍（丁度７倍としてもよい）で略同一（同一としてもよい）となっている。よって、外側構成部１０の折れ線Ｃ４と仕切り部６０の折れ線Ｃ９を合わせて外側構成部１０の上面に仕切り部６０を配置した場合に（図１５参照）、折れ線Ｃ２と折れ線Ｃ６とが一致することになる。
【０１１２】
また、収納箱５を組み立てた状態（つまり、仕切り部６０も組み立てた状態）では、仕切り部６０は、図６、図７に示すように構成され、正面部６２と、第１中間部１２０と、第２中間部１３０と、背面部９８とが互いに略平行となり、右側面部１４０と左側面部１５０とが互いに略平行となり、正面部６２と第１中間部１２０と第２中間部１３０と背面部９８とが、右側面部１４０と左側面部１５０と略直角となる。また、仕切り片７０、７２、７４が、正面部６２及び第１中間部下側部７６と直角になり、仕切り片８０、８２、８４が、第２中間部下側部７８及び第１中間部本体部８６と直角になり、仕切り片１００、１０２、１０４が、背面部９８及び第２中間部本体部１０６と直角になる。
【０１１３】
上記構成の収納箱５の製造方法について説明する。まず、図８に示す外側構成部１０と、図９に示す仕切り部６０を製造する。なお、折れ線箇所には、予め罫線を形成しておくことが好ましい。また、外側構成部１０の製造に際しては、外側構成部１０を構成するブランクが段ボールの場合には、図１３の領域Ｒ１、Ｒ２、Ｒ３、Ｒ４に対してコルク等の押圧部材を押圧することにより薄く形成しておき、隣接する部材を折り畳むのを容易とするのが好ましい。つまり、領域Ｒ１は、糊代部２２とフラップ部４１、５１の折れ線Ｃ１側の領域を除く領域であり、領域Ｒ２は、正面部２４と右側面部２６の境界の領域（折れ線Ｃ２及び切込みＫａの両側の領域）であり、領域Ｒ３は、背面部２８と左側面部３０の境界の領域（折れ線Ｃ４及び切込みＫｂの両側の領域）であり、領域Ｒ４は、左側面部３０とフラップ部４８とフラップ部５８の先端側の領域である。
【０１１４】
まず、外側構成部１０における接着剤塗布領域Ｍ１、Ｍ２、Ｍ３、Ｍ４に接着剤を塗布しておく。そして、外側構成部１０を展開した状態で、かつ、完成時の外側の面が下側（底面側）となるように配置する。
【０１１５】
そして、仕切り部６０における第１中間部下側部７６を折れ線Ｃ２０を介して裏側となるように折り返して、第１中間部下側部７６と仕切り片７０、７２、７４と正面部６２により構成される仕切り部突出部６０Ａを仕切り部本体部６０Ｂの裏側に配置させる（図１４参照）。
【０１１６】
そして、外側構成部１０の上面に仕切り部６０を展開した状態で、かつ、完成時の内側の面の上面に仕切り部６０を配置する。つまり、左右方向においては、外側構成部１０の折れ線Ｃ４と仕切り部６０の折れ線Ｃ９とが一致し、外側構成部１０の折れ線Ｃ２と仕切り部６０の折れ線６とが一致するように配置する。つまり、仕切り部６０における仕切り部本体部６０Ｂと外側構成部１０との間に仕切り部突状部６０Ａが配置されることになる。また、上下方向においては、図１５に示すように、仕切り部本体部６０Ｂの下辺が、外側構成部１０のスリーブ状部２０の下辺と一致するか又は若干上側となるようにする。なお、少なくとも仕切り部６０が上下方向にスリーブ状部２０からはみ出さないようにする。
【０１１７】
そして、接着剤塗布領域Ｍ１、Ｍ２、Ｍ３、Ｍ４の箇所を押圧して、接着剤剤塗布領域Ｍ１、Ｍ２、Ｍ３、Ｍ４の領域において外側構成部１０と仕切り部６０とを接着する（第１接着工程）。なお、仕切り部６０において、接着剤塗布領域Ｍ１、Ｍ２、Ｍ３、Ｍ４が接着する領域の方に接着剤を塗布して、外側構成部１０と仕切り部６０とを接着させてもよい。
【０１１８】
その後、内側右側面部８８の接着剤塗布領域Ｎ１に接着剤を塗布するとともに、第２中間部下側部７８の接着剤塗布領域Ｎ２に接着剤を塗布する（第１接着剤塗布工程）。なお、接着剤塗布領域Ｎ１の代わりに、外側右側面部９０における接着剤塗布領域Ｎ１が接着する領域に接着剤を塗布してもよく、また、接着剤塗布領域Ｎ２の代わりに、第２中間部本体部１０６の縦長部１０６ａ−２における接着剤塗布領域Ｎ２が接着する領域に接着剤を塗布してもよい。
【０１１９】
その後、外側構成部１０における折れ線Ｃ２よりも外側（図８では右側）の部分を折れ線Ｃ２を中心に折り返すとともに、仕切り部６０における折れ線Ｃ６よりも外側（図９では右側）の部分を折れ線Ｃ６を中心に折り返して（図１６参照）、押し返した部分の少なくとも接着剤塗布領域Ｎ１の箇所と接着剤塗布領域Ｎ２の箇所を押圧する。すると、内側右側面部８８と外側右側面部９０とが接着し、第２中間部下側部７８と第２中間部本体部１０６の縦長部１０６ａ−２が接着する（第２接着工程）。なお、外側構成部１０の折れ線Ｃ２と仕切り部６０の折れ線Ｃ６とが一致しているので、同時に折り畳むことができる。
【０１２０】
その後、外側構成部１０の接着剤塗布領域Ｎ３と外側左側面部１１２の接着剤塗布領域Ｎ４と糊代部１１４の接着剤塗布領域Ｎ５に接着剤を塗布する（第２接着剤塗布工程）。なお、接着剤塗布領域Ｎ３の代わりに、左側面部３０における接着剤塗布領域Ｎ３が接着する領域に接着剤を塗布してもよく、また、接着剤塗布領域Ｎ４の代わりに、内側左側面部１１０における接着剤塗布領域Ｎ４が接着する領域に接着剤を塗布してもよく、また、接着剤塗布領域Ｎ５の代わりに、第１中間部本体部８６における接着剤塗布領域Ｎ５が接着する領域に接着剤を塗布してもよい。
【０１２１】
その後、外側構成部１０における折れ線Ｃ４よりも外側（図８では左側）の部分を折れ線Ｃ４を中心に折り返すとともに、仕切り部６０における折れ線Ｃ９よりも外側（図９では、左側）の部分を折れ線Ｃ９を中心に折り返して（図１７参照）、押し返した部分の少なくとも接着剤塗布領域Ｎ３の箇所と接着剤塗布領域Ｎ４の箇所と接着剤塗布領域Ｎ５の箇所を押圧する。すると、外側構成部１０においては、糊代部２２と左側面部３０とが接着し、フラップ部４１とフラップ部４８が接着し、フラップ部５１とフラップ部５８が接着し、また、仕切り部６０においては、内側左側面部１１０と外側左側面部１１２とが接着し、第１中間部本体部８６と糊代部１１４が接着する（第３接着工程）。なお、外側構成部１０の折れ線Ｃ４と仕切り部６０の折れ線Ｃ９とが一致しているので、同時に折り畳むことができる。また、図１６に示す状態では、第１中間部本体部８６の端部領域が外側構成部１０の糊代部２２の切欠部Ｋ０内に露出するので、糊代部１１４が第１中間部本体部８６と接着する際に支障となることがない。
【０１２２】
以上のようにして、収納箱５が形成されるが、上記のように製造された段階では、図３に示すように、収納箱５を平板状に折り畳んだ状態で形成される。なお、上記の製造は、組立て装置により自動で製造される。
【０１２３】
上記のように製造された収納箱５の使用方法について説明する。収納箱５を保管又は運搬する際には、図３に示すように収納箱５を折り畳んだ状態としておく。収納箱５を折り畳んだ状態では、正面部２４と左側面部３０とが１つの板状を呈するとともに、右側面部２６と背面部２８とが１つの板状を呈していて、正面部２４及び左側面部３０は、右側面部２６及び背面部２８と略平行となっている。また、仕切り部６０においても、仕切り部本体部６０Ｂが折れ線Ｃ６と折れ線Ｃ９を介して折り畳んだ状態となり、仕切り部突出部６０Ａが折り畳まされた状態の仕切り部本体部６０Ｂ上に積層した状態となっていて、全体に平板状に折り畳まれた状態となっている。
【０１２４】
次に、収納箱５を使用する際には、外側構成部１０のスリーブ状部２０について、隣接する部材が互いに直角となるようにして四角筒状とし、底面部４０を組み立てる。底面部４０の組立てに際しては、フラップ部４４を右側面部２６に対して折り曲げるとともに、フラップ部４８（フラップ部４８にはフラップ部４１が接着されている）を左側面部３０に対して折り曲げ、その後、底面板部４２を正面部２４に対して折り曲げるとともに、底面板部４６を背面部２８に対して折り曲げて、接着テープにより底面板部４２と底面板部４６とを固定する。
【０１２５】
スリーブ状部２０を四角筒状に組み立てると、これに伴い、仕切り部６０も図４〜図７に示す状態に組み立てられ、正面部６２と、第１中間部１２０（第１中間部１２０は、第１中間部下側部７６と第１中間部本体部８６とから構成される）と、第２中間部１３０（第２中間部１３０は、第２中間部下側部７８と第２中間部本体部１０６とから構成される）と、背面部９８とが互いに略平行となり、右側面部１４０（右側面部１４０は、内側右側面部８８と外側右側面部９０とから構成される）と左側面部１５０（左側面部１５０は、内側左側面部１１０と外側左側面部１１２とから構成される）とが互いに略平行となり、正面部６２と第１中間部１２０と第２中間部１３０と背面部９８とが、右側面部１４０と左側面部１５０と略直角となる。また、仕切り片７０、７２、７４が、正面部６２及び第１中間部下側部７６と直角になり、仕切り片８０、８２、８４が、第２中間部下側部７８及び第１中間部本体部８６と直角になり、仕切り片１００、１０２、１０４が、背面部９８及び第２中間部本体部１０６と直角になる。
【０１２６】
特に、正面部６２が接着剤塗布領域Ｍ１により正面部２４に接着し、右側面部１４０が接着剤塗布領域Ｍ２により右側面部２６に接着し、背面部９８が接着剤塗布領域Ｍ３により背面部２８に接着し、左側面部１５０が、接着剤塗布領域Ｍ４により左側面部３０に接着しているので、仕切り部６０が四方から固定された状態で立体的に組み立てられる。つまり、正面部６２と第１中間部１２０が互いに平行に離れながら仕切り片７０、７２、７４が各仕切り片が連設している部材に対して直角となり、第１中間部１２０と第２中間部１３０とが互いに平行に離れながら仕切り片８０、８２、８４が各仕切り片が連設している部材に対して直角となり、第２中間部１３０と背面部９８が互いに平行に離れながら仕切り片１００、１０２、１０４が各仕切り片が連設している部材に対して直角となる。
【０１２７】
また、外側構成部１０における長さＡ１と長さＡ３とが基準長さの略４倍であり、仕切り部６０における長さＢ１と長さＢ４とが基準長さの略４倍であるので、第１中間部１２０と第２中間部１３０が右側面部１４０と左側面部１５０を介して外側構成部１０の右側面部２６と左側面部３０間に配置される。また、外側構成部１０における長さＡ２と長さＡ４とが基準長さの略３倍であり、仕切り部６０における仕切り片７０、７２、７４、８０、８２、８４、１００、１０２、１０４の左右方向の長さが基準長さであるので、外側構成部１０における正面部２４と背面部２８間に３つの仕切り片が一列に並んだ状態で配置される。
【０１２８】
なお、仕切り部６０を立体的に組み立てる際には、折れ線Ｃ４１に沿って形成された切目線が破断して、背面部９８と内側左側面部１１０とが離間する。
【０１２９】
すると、外側構成部１０の内部には、仕切り部６０により仕切られた１２個の収納空間が形成されるので、これらの収納空間に被収納物を収納する。
【０１３０】
外側構成部１０内に被収納物を収納したら、上面部５０を閉状態とする。
【０１３１】
以上のように、本実施例の収納箱５の製造においては、外側構成部と仕切り部とを同時に製造することができ、外側構成部の製造工程と仕切り部の製造工程とを別々に設ける必要がない。特に、外側構成部１０と仕切り部６０とをともに展開状態にして貼り合わせた後に、所定の接着剤塗布領域に接着剤を塗布して所定の片部を折り返すことにより製造することができ、極めて容易に製造することができる。
【０１３２】
また、仕切り部を１つのブランクで製造することができるので、仕切り部の製造に際して手間が掛からず容易に製造することができる。また、外側構成部を１つのブランクで形成することができるので、外側構成部の見栄えや強度に支障を来すことがない。
【０１３３】
また、本実施例の収納箱５の製造においては、１２個の収納空間を有する複雑な構成の収納箱を極めて効率よく製造することができる。
【０１３４】
なお、上記の説明においては、図８に示すように、外側構成部１０の糊代部２２を平面視で左右方向の右端に配置した状態で製造するものとして説明したが、図８における外側構成部１０の左右対称に構成して糊代部２２を左右方向の左端に配置し、同様に、仕切り部６０も図１４の状態に対して左右対称に構成して、上記と同様に、折れ線Ｃ２とＣ６を一致させるとともに折れ線Ｃ４と折れ線Ｃ９を一致させて外側構成部１０の上面に設置して、製造してもよい。
【符号の説明】
【０１３５】
５  収納箱
１０  外側構成部
２０  スリーブ状部
２２  糊代部（外側構成部糊代部）
２４  正面部（外側構成部正面部）
２６  右側面部（外側構成部右側面部）
２８  背面部（外側構成部背面部）
３０  左側面部（外側構成部左側面部）
４０  底面部
５０  上面部
６２  正面部（仕切り部正面部）
６０  仕切り部
７０  仕切り片（第４仕切り片）
７２  仕切り片（第５仕切り片）
７４  仕切り片（第６仕切り片）
７６  第１中間部下側部（仕切り部第１中間部下側部）
７８  第２中間部下側部（仕切り部第２中間部下側部）
８０  仕切り片（第１仕切り片）
８２  仕切り片（第２仕切り片）
８４  仕切り片（第３仕切り片）
８６  第１中間部本体部（仕切り部第１中間部本体部）
８８  内側右側面部（仕切り部内側右側面部）
９０  外側右側面部（仕切り部外側右側面部）
９８  背面部（仕切り部背面部）
１００  仕切り片（第７仕切り片）
１０２  仕切り片（第８仕切り片）
１０４  仕切り片（第９仕切り片）
１０６  第２中間部本体部（仕切り部第２中間部本体部）
１１０  内側左側面部（仕切り部内側左側面部）
１１２  外側左側面部（仕切り部外側左側面部）
１１４  糊代部（仕切り部糊代部）
１２０  第１中間部（仕切り部第１中間部）
１３０  第２中間部（仕切り部第２中間部）
１４０  右側面部（仕切り部右側面部）
１５０  左側面部（仕切り部左側面部）
Ｃ１  折れ線（第１折れ線）
Ｃ２  折れ線（第２折れ線）
Ｃ３  折れ線（第３折れ線）
Ｃ４  折れ線（第４折れ線）
Ｃ５  折れ線（第５折れ線）
Ｃ６  折れ線（第６折れ線）
Ｃ７  折れ線（第７折れ線）
Ｃ８  折れ線（第８折れ線）
Ｃ９  折れ線（第９折れ線）
Ｃ１０  折れ線（第１０折れ線）
Ｃ１１  折れ線（第２０折れ線）
Ｃ１２  折れ線（第２１折れ線）
Ｃ１３  折れ線（第２２折れ線）
Ｃ１４  折れ線（第１７折れ線）
Ｃ１５  折れ線（第１８折れ線）
Ｃ１６  折れ線（第１９折れ線）
Ｃ２０  折れ線
Ｃ２１  折れ線（第１４折れ線）
Ｃ２２  折れ線（第１５折れ線）
Ｃ２３  折れ線（第１６折れ線）
Ｃ２４  折れ線（第１１折れ線）
Ｃ２５  折れ線（第１１折れ線）
Ｃ２６  折れ線（第１２折れ線）
Ｃ２７  折れ線（第１３折れ線）
Ｃ３１  折れ線（第２６折れ線）
Ｃ３２  折れ線（第２７折れ線）
Ｃ３３  折れ線（第２８折れ線）
Ｃ３４  折れ線（第２３折れ線）
Ｃ３５  折れ線（第２３折れ線）
Ｃ３６  折れ線（第２４折れ線）
Ｃ３７  折れ線（第２５折れ線）
Ｃ４１  折れ線（第２９折れ線）
Ｍ１、Ｍ２、Ｍ３、Ｍ４、Ｎ１、Ｎ２、Ｎ３、Ｎ４、Ｎ５  接着剤塗布領域
【図１】
2011116049.tif 000003
【図２】
2011116049.tif 000004
【図３】
2011116049.tif 000005
【図４】
2011116049.tif 000006
【図５】
2011116049.tif 000007
【図６】
2011116049.tif 000008
【図７】
2011116049.tif 000009
【図８】
2011116049.tif 000010
【図９】
2011116049.tif 000011
【図１０】
2011116049.tif 000012
【図１１】
2011116049.tif 000013
【図１２】
2011116049.tif 000014
【図１３】
2011116049.tif 000015
【図１４】
2011116049.tif 000016
【図１５】
2011116049.tif 000017
【図１６】
2011116049.tif 000018
【図１７】
2011116049.tif 000019